(57)【要約】  測位リソース調整方法及びその装置、ネットワークノード、端末並びに基地局を提供する。ここで、測位リソース調整方法において、サービング端末に対する測位測定に先立って、前記サービング端末に関連する基地局に測位リソース調整情報を送信することを含み、ここで、前記測位リソース調整情報は、基地局のターゲットセルの識別情報を含み、前記ターゲットセルの構成すべき測位専用リソース情報を持ち、又は、前記測位リソース調整情報は、測位リソースの活性化を所望する基地局のターゲットセルの識別情報を含み、予め構成された測位専用リソース情報の活性化を前記基地局に指示する。【選択図】  図４
2021536188.tif 000002
【特許請求の範囲】
【請求項１】
ローカル測位管理機能エンティティ又は測位管理機能エンティティであるネットワークノードに応用される測位リソース調整方法であって、
サービング端末に対する測位測定に先立って、前記サービング端末に関連する基地局に測位リソース調整情報を送信することを含み、
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する、測位リソース調整方法。
【請求項２】
前記ターゲットセルの構成すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項１に記載の測位リソース調整方法。
【請求項３】
前記測位専用リソース情報は、
自身の発効時間情報を更に含む、請求項２に記載の測位リソース調整方法。
【請求項４】
前記発効時間情報は、
システムフレーム番号ＳＦＮの形式で示される、請求項３に記載の測位リソース調整方法。
【請求項５】
基地局に測位リソース調整情報を送信した後に、
前記基地局からフィードバックされた第１構成成功応答メッセージを受信することと、
必要な測位リソースの最小構成セットの完了後に、対応する下り測位測定プロセスをトリガすることとを更に含み、
ここで、前記第１構成成功応答メッセージは、ターゲットポイントの全部又は一部について構成が成功したことを示すメッセージである、請求項１に記載の測位リソース調整方法。
【請求項６】
前記測位リソース調整情報が、予め構成された測位専用リソース情報の活性化を前記基地局に指示する場合、
前記第１構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項５に記載の測位リソース調整方法。
【請求項７】
前記の基地局に測位リソース調整情報を送信することは、
前記測位リソース調整情報を、ＬＰＰａのパケット形式で、アクセス・モビリティ管理機能エンティティＡＭＦの中継により、Ｎ２インターフェースを用いて基地局に伝送することを含む、請求項１に記載の測位リソース調整方法。
【請求項８】
基地局に測位リソース調整情報を送信した後に、
測位測定リソース又は測定信号源をサービング端末に対して更新する前に、測位リソース更新情報を基地局に送信することを更に含み、
ここで、前記測位リソース更新情報は、前記基地局の新規追加ターゲットセルの識別情報を含み、前記基地局の新規追加ターゲットセルの構成すべき測位専用リソース情報を持ち、又は、
前記測位リソース更新情報は、測位リソースを解放すべき前記基地局のターゲットセルの識別情報を含み、又は、
前記測位リソース更新情報は、測位リソースを変更すべき前記基地局のターゲットセルの識別情報を含み、測位リソースを変更すべき前記基地局のターゲットセルの更新すべき測位専用リソース情報を持ち、又は、
前記測位リソース更新情報は、測位リソースの活性化を所望する前記基地局の新規追加ターゲットセルの識別情報を含み、対応する予め構成された測位専用リソース情報の活性化を前記基地局に指示し、又は、
前記測位リソース更新情報は、測位リソースの変更を所望する前記基地局のターゲットセルの識別情報を含み、対応する予め構成された測位専用リソース情報の活性化を前記基地局に指示し、
前記基地局は、前記サービング端末に関連する基地局である、請求項１に記載の測位リソース調整方法。
【請求項９】
前記基地局の新規追加ターゲットセルの構成すべき測位専用リソース情報、及び／又は、測位リソースを変更すべき前記基地局のターゲットセルの更新すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項８に記載の測位リソース調整方法。
【請求項１０】
前記測位リソース更新情報は、
自身の発効時間情報を更に含む、請求項９に記載の測位リソース調整方法。
【請求項１１】
前記発効時間情報は、
システムフレーム番号ＳＦＮの形式で示される、請求項１０に記載の測位リソース調整方法。
【請求項１２】
基地局に測位リソース更新情報を送信した後に、
前記基地局からフィードバックされた第２構成成功応答メッセージを受信することと、
必要な測位リソースの最小構成セットの完了後に、対応する下り測位測定プロセスをトリガすることとを更に含み、
ここで、前記第２構成成功応答メッセージは、ターゲットポイントの全部又は一部について構成が成功したことを示すメッセージである、請求項８に記載の測位リソース調整方法。
【請求項１３】
前記測位リソース更新情報が、対応する予め構成された測位専用リソース情報の活性化を前記基地局に指示する場合、
前記第２構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項１２に記載の測位リソース調整方法。
【請求項１４】
前記の基地局に測位リソース更新情報を送信することは、
前記測位リソース更新情報を、ＬＰＰａのパケット形式で、アクセス・モビリティ管理機能エンティティＡＭＦの中継により、Ｎ２インターフェースを用いて基地局に伝送することを含む、請求項８に記載の測位リソース調整方法。
【請求項１５】
基地局に測位リソース調整情報を送信した後に、
前記基地局に測位リソース解放情報を送信することと、
前記基地局によってフィードバックされたリソース解放成功メッセージを受信することとを更に含み、
ここで、前記測位リソース解放情報は、測位リソースの解放を所望する前記基地局のターゲットセットの識別情報を含み、
前記リソース解放成功メッセージは、ターゲットポイントの全部又は一部についてリソース解放が成功したことを示すメッセージである、請求項１又は８に記載の測位リソース調整方法。
【請求項１６】
前記の基地局に測位リソース解放情報を送信することは、
前記測位リソース解放情報を、ＬＰＰａのパケット形式で、アクセス・モビリティ管理機能エンティティＡＭＦの中継により、Ｎ２インターフェースを用いて基地局に伝送することを含む、請求項１５に記載の測位リソース調整方法。
【請求項１７】
基地局に測位リソース調整情報を送信した後に、
前記基地局から送信された測位リソース調整情報を受信することと、
測位のニーズに応じて、調整成功応答メッセージを前記基地局にフィードバックすることとを更に含み、
ここで、前記測位リソース調整情報は、測位リソースの更新を所望する前記基地局のターゲットセルの識別情報及び対応する推奨測位専用リソース情報を含み、又は、前記測位リソース調整情報は、測位リソースを解放すべき前記基地局のターゲットセルの識別情報を含み、
前記調整成功応答メッセージは、ターゲットポイントの全部又は一部について調整が成功したことを示すメッセージである、請求項１又は８に記載の測位リソース調整方法。
【請求項１８】
前記の前記基地局から送信された測位リソース調整情報を受信することは、
前記基地局からＬＰＰａのパケット形式で送信され、アクセス・モビリティ管理機能エンティティＡＭＦによって中継された測位リソース調整情報を受信することを含む、請求項１７に記載の測位リソース調整方法。
【請求項１９】
前記推奨測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項１７に記載の測位リソース調整方法。
【請求項２０】
基地局に測位リソース調整情報を送信した後に、
変更が発生する測位リソース情報を利用して対応するピアレイヤーポジショニングプロトコルＬＰＰメッセージであって、更新された測位リソース構成情報及び／又は削除された測位リソース構成情報を持つＬＰＰメッセージを形成することと、
前記ＬＰＰメッセージを測位ニーズのある端末に送信することとを更に含む、請求項１又は８に記載の測位リソース調整方法。
【請求項２１】
端末に応用される測位リソース調整方法であって、
更新された測位リソース構成情報及び／又は削除された測位リソース構成情報を持つＬＰＰメッセージを、ローカル測位管理機能エンティティ又は測位管理機能エンティティであるネットワークノードから受信することと、
ＬＰＰメッセージに基づいて測位構成情報を変更することとを含む、測位リソース調整方法。
【請求項２２】
前記のＬＰＰメッセージに基づいて測位構成情報を変更することは、
前記ＬＰＰメッセージの更新された測位リソース構成情報に基づいて、最新の測位構成情報を保存すること、及び／又は、
前記ＬＰＰメッセージの削除された測位リソース構成情報に基づいて、対応する測位構成情報を除くことを含む、請求項２１に記載の測位リソース調整方法。
【請求項２３】
基地局に応用される測位リソース調整方法であって、
ローカル測位管理機能エンティティ又は測位管理機能エンティティであるネットワークノードから送信された測位リソース調整情報を受信することと、
前記測位リソース調整情報に基づいて、対応する測位専用リソースを構成して活性化させることとを含み、
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する、測位リソース調整方法。
【請求項２４】
前記ターゲットセルの構成すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項２３に記載の測位リソース調整方法。
【請求項２５】
前記測位専用リソース情報は、
自身の発効時間情報を更に含み、
前記の前記測位リソース調整情報に基づいて、対応する測位専用リソースを構成して活性化させることは、
前記測位リソース調整情報に基づいて、対応する測位専用リソースを構成して対応するタイミングに活性化させることを含む、請求項２４に記載の測位リソース調整方法。
【請求項２６】
前記発効時間情報は、
システムフレーム番号ＳＦＮの形式で示される、請求項２５に記載の測位リソース調整方法。
【請求項２７】
前記測位リソース調整情報に基づいて、対応する測位専用リソースを構成して活性化した後に、
ターゲットポイントの全部又は一部について構成が成功したことを示すメッセージである第１構成成功応答メッセージを、前記ネットワークノードにフィードバックすることを更に含む、請求項２３に記載の測位リソース調整方法。
【請求項２８】
前記測位リソース調整情報が、予め構成された測位専用リソース情報の活性化を前記基地局に指示する場合、
前記第１構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項２７に記載の測位リソース調整方法。
【請求項２９】
前記のネットワークノードから送信された測位リソース調整情報を受信することは、
ネットワークノードからＬＰＰａのパケット形式で送信され、アクセス・モビリティ管理機能エンティティＡＭＦによって中継され、Ｎ２インターフェースを用いて伝送された測位リソース調整情報を受信することを含む、請求項２３に記載の測位リソース調整方法。
【請求項３０】
ネットワークノードから送信された測位リソース調整情報を受信した後に、
ネットワークノードから送信された測位リソース更新情報を受信することと、
前記測位リソース更新情報に基づいて、対応する更新動作を構成して活性化させることとを更に含み、
ここで、前記測位リソース更新情報は、前記基地局の新規追加ターゲットセルの識別情報を含み、前記基地局の新規追加ターゲットセルの構成すべき測位専用リソース情報を持ち、又は、
前記測位リソース更新情報は、測位リソースを解放すべき前記基地局のターゲットセルの識別情報を含み、又は、
前記測位リソース更新情報は、測位リソースを変更すべき前記基地局のターゲットセルの識別情報を含み、測位リソースを変更すべき前記基地局のターゲットセルの更新すべき測位専用リソース情報を持ち、又は、
前記測位リソース更新情報は、測位リソースの活性化を所望する前記基地局の新規追加ターゲットセルの識別情報を含み、対応する予め構成された測位専用リソース情報の活性化を前記基地局に指示し、又は、
前記測位リソース更新情報は、測位リソースの変更を所望する前記基地局のターゲットセルの識別情報を含み、対応する予め構成された測位専用リソース情報の活性化を前記基地局に指示する、請求項２３に記載の測位リソース調整方法。
【請求項３１】
前記基地局の新規追加ターゲットセルの構成すべき測位専用リソース情報、及び／又は、測位リソースを変更すべき前記基地局のターゲットセルの更新すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項３０に記載の測位リソース調整方法。
【請求項３２】
前記測位リソース更新情報は、
自身の発効時間情報を更に含み、
前記の前記測位リソース更新情報に基づいて、対応する更新動作を構成して活性化させることは、
前記測位リソース更新情報に基づいて、対応する更新動作を構成して対応するタイミングに活性化させることを含む、請求項３１に記載の測位リソース調整方法。
【請求項３３】
前記発効時間情報は、
システムフレーム番号ＳＦＮの形式で示される、請求項３２に記載の測位リソース調整方法。
【請求項３４】
ネットワークノードから送信された測位リソース更新情報を受信した後に、
ターゲットポイントの全部又は一部について構成が成功したことを示すメッセージである第２構成成功応答メッセージを、前記ネットワークノードにフィードバックすることを更に含む、請求項３０に記載の測位リソース調整方法。
【請求項３５】
前記測位リソース更新情報が、対応する予め構成された測位専用リソース情報の活性化を前記基地局に指示する場合、
前記第２構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項３４に記載の測位リソース調整方法。
【請求項３６】
前記のネットワークノードから送信された測位リソース更新情報を受信することは、
ネットワークノードからＬＰＰａのパケット形式で送信され、アクセス・モビリティ管理機能エンティティＡＭＦによって中継され、Ｎ２インターフェースを用いて伝送された測位リソース更新情報を受信することを含む、請求項３０に記載の測位リソース調整方法。
【請求項３７】
ネットワークノードから送信された測位リソース調整情報を受信した後に、
前記ネットワークノードから送信された測位リソース解放情報を受信することと、
前記測位リソース解放情報に基づいて、対応する測位専用リソースを解放することと、
リソース解放成功メッセージを前記ネットワークノードにフィードバックすることとを更に含み、
ここで、前記測位リソース解放情報は、測位リソースの解放を所望する前記基地局のターゲットセットの識別情報を含み、
前記リソース解放成功メッセージは、ターゲットポイントの全部又は一部についてリソース解放が成功したことを示すメッセージである、請求項２３又は３０に記載の測位リソース調整方法。
【請求項３８】
前記の前記ネットワークノードから送信された測位リソース解放情報を受信することは、
前記ネットワークノードからＬＰＰａのパケット形式で送信され、アクセス・モビリティ管理機能エンティティＡＭＦによって中継され、Ｎ２インターフェースを用いて伝送された測位リソース解放情報を受信することを含む、請求項３７に記載の測位リソース調整方法。
【請求項３９】
ネットワークノードから送信された測位リソース調整情報を受信した後に、
無線リソース管理ＲＲＭニーズに応じて、ターゲットポイントの測位リソースの変更ニーズが存在する場合、測位リソース調整情報を前記ネットワークノードに送信することと、
前記ネットワークノードからフィードバックされた調整成功応答メッセージを受信することとを更に含み、
ここで、前記測位リソース調整情報は、測位リソースの更新を所望する前記基地局のターゲットセルの識別情報及び対応する推奨測位専用リソース情報を含み、又は、前記測位リソース調整情報は、測位リソースを解放すべき前記基地局のターゲットセルの識別情報を含み、
前記調整成功応答メッセージは、ターゲットポイントの全部又は一部について調整が成功したことを示すメッセージである、請求項２３又は３０に記載の測位リソース調整方法。
【請求項４０】
前記の前記ネットワークノードに測位リソース調整情報を送信することは、
前記測位リソース調整情報を、ＬＰＰａのパケット形式で、アクセス・モビリティ管理機能エンティティＡＭＦの中継によって前記ネットワークノードに伝送することを含む、請求項３９に記載の測位リソース調整方法。
【請求項４１】
前記推奨測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項３９に記載の測位リソース調整方法。
【請求項４２】
ネットワークノードであって、
ローカル測位管理機能エンティティ又は測位管理機能エンティティであり、
メモリと、プロセッサと、トランシーバと、前記メモリに格納されて前記プロセッサで実行可能なコンピュータプログラムを含み、
ここで、前記プロセッサが前記プログラムを実行すると、
サービング端末に対する測位測定に先立って、前記サービング端末に関連する基地局に測位リソース調整情報を前記トランシーバを利用して送信することが実現され、
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する、ネットワークノード。
【請求項４３】
前記ターゲットセルの構成すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項４２に記載のネットワークノード。
【請求項４４】
前記測位専用リソース情報は、
自身の発効時間情報を更に含む、請求項４３に記載のネットワークノード。
【請求項４５】
前記発効時間情報は、
システムフレーム番号ＳＦＮの形式で示される、請求項４４に記載のネットワークノード。
【請求項４６】
前記プロセッサは、更に、
基地局に測位リソース調整情報を送信した後に、前記基地局からフィードバックされた第１構成成功応答メッセージを前記トランシーバを利用して受信し、
必要な測位リソースの最小構成セットの完了後に、対応する下り測位測定プロセスをトリガし、
ここで、前記第１構成成功応答メッセージは、ターゲットポイントの全部又は一部について構成が成功したことを示すメッセージである、請求項４２に記載のネットワークノード。
【請求項４７】
前記測位リソース調整情報が、予め構成された測位専用リソース情報の活性化を前記基地局に指示する場合、
前記第１構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項４６に記載のネットワークノード。
【請求項４８】
前記プロセッサは、具体的に、
前記トランシーバを利用して前記測位リソース調整情報を、ＬＰＰａのパケット形式で、アクセス・モビリティ管理機能エンティティＡＭＦの中継により、Ｎ２インターフェースを用いて基地局に伝送する、請求項４２に記載のネットワークノード。
【請求項４９】
前記プロセッサは、更に、
基地局に測位リソース調整情報を送信した後に、測位測定リソース又は測定信号源をサービング端末に対して更新する前に、測位リソース更新情報を前記トランシーバを利用して基地局に送信し、
ここで、前記測位リソース更新情報は、前記基地局の新規追加ターゲットセルの識別情報を含み、前記基地局の新規追加ターゲットセルの構成すべき測位専用リソース情報を持ち、又は、
前記測位リソース更新情報は、測位リソースを解放すべき前記基地局のターゲットセルの識別情報を含み、又は、
前記測位リソース更新情報は、測位リソースを変更すべき前記基地局のターゲットセルの識別情報を含み、測位リソースを変更すべき前記基地局のターゲットセルの更新すべき測位専用リソース情報を持ち、又は、
前記測位リソース更新情報は、測位リソースの活性化を所望する前記基地局の新規追加ターゲットセルの識別情報を含み、対応する予め構成された測位専用リソース情報の活性化を前記基地局に指示し、又は、
前記測位リソース更新情報は、測位リソースの変更を所望する前記基地局のターゲットセルの識別情報を含み、対応する予め構成された測位専用リソース情報の活性化を前記基地局に指示し、
前記基地局は、前記サービング端末に関連する基地局である、請求項４２に記載のネットワークノード。
【請求項５０】
前記基地局の新規追加ターゲットセルの構成すべき測位専用リソース情報、及び／又は、測位リソースを変更すべき前記基地局のターゲットセルの更新すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項４９に記載のネットワークノード。
【請求項５１】
前記測位リソース更新情報は、
自身の発効時間情報を更に含む、請求項５０に記載のネットワークノード。
【請求項５２】
前記発効時間情報は、
システムフレーム番号ＳＦＮの形式で示される、請求項５１に記載のネットワークノード。
【請求項５３】
前記プロセッサは、更に、
基地局に測位リソース更新情報を送信した後に、前記基地局からフィードバックされた第２構成成功応答メッセージを前記トランシーバを利用して受信し、
必要な測位リソースの最小構成セットの完了後に、対応する下り測位測定プロセスをトリガし、
ここで、前記第２構成成功応答メッセージは、ターゲットポイントの全部又は一部について構成が成功したことを示すメッセージである、請求項４９に記載のネットワークノード。
【請求項５４】
前記測位リソース更新情報が、対応する予め構成された測位専用リソース情報の活性化を前記基地局に指示する場合、
前記第２構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項５３に記載のネットワークノード。
【請求項５５】
前記プロセッサは、具体的に、
前記トランシーバを利用して前記測位リソース更新情報を、ＬＰＰａのパケット形式で、アクセス・モビリティ管理機能エンティティＡＭＦの中継により、Ｎ２インターフェースを用いて基地局に伝送する、請求項４９に記載のネットワークノード。
【請求項５６】
前記プロセッサは、更に、
基地局に測位リソース調整情報を送信した後に、前記基地局に測位リソース解放情報を前記トランシーバを利用して送信し、
前記基地局によってフィードバックされたリソース解放成功メッセージを受信し、
ここで、前記測位リソース解放情報は、測位リソースの解放を所望する前記基地局のターゲットセットの識別情報を含み、
前記リソース解放成功メッセージは、ターゲットポイントの全部又は一部についてリソース解放が成功したことを示すメッセージである、請求項４２又は４９に記載のネットワークノード。
【請求項５７】
前記プロセッサは、具体的に、
前記トランシーバを利用して前記測位リソース解放情報を、ＬＰＰａのパケット形式で、アクセス・モビリティ管理機能エンティティＡＭＦの中継により、Ｎ２インターフェースを用いて基地局に伝送する、請求項５６に記載のネットワークノード。
【請求項５８】
前記プロセッサは、更に、
基地局に測位リソース調整情報を送信した後に、前記基地局から送信された測位リソース調整情報を前記トランシーバを利用して受信し、
測位のニーズに応じて、前記トランシーバを利用して調整成功応答メッセージを前記基地局にフィードバックし、
ここで、前記測位リソース調整情報は、測位リソースの更新を所望する前記基地局のターゲットセルの識別情報及び対応する推奨測位専用リソース情報を含み、又は、前記測位リソース調整情報は、測位リソースを解放すべき前記基地局のターゲットセルの識別情報を含み、
前記調整成功応答メッセージは、ターゲットポイントの全部又は一部について調整が成功したことを示すメッセージである、請求項４２又は４９に記載のネットワークノード。
【請求項５９】
前記プロセッサは、具体的に、
前記基地局からＬＰＰａのパケット形式で送信され、アクセス・モビリティ管理機能エンティティＡＭＦによって中継された測位リソース調整情報を前記トランシーバを利用して受信する、請求項５８に記載のネットワークノード。
【請求項６０】
前記推奨測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項５８に記載のネットワークノード。
【請求項６１】
前記プロセッサは、更に、
基地局に測位リソース調整情報を送信した後に、変更が発生する測位リソース情報を利用して対応するＬＰＰメッセージであって、更新された測位リソース構成情報及び／又は削除された測位リソース構成情報を持つＬＰＰメッセージを形成し、
前記トランシーバを利用して前記ＬＰＰメッセージを測位ニーズのある端末に送信する、請求項４２又は４９に記載のネットワークノード。
【請求項６２】
端末であって、
メモリと、プロセッサと、トランシーバと、前記メモリに格納されて前記プロセッサで実行可能なコンピュータプログラムを含み、
ここで、前記プロセッサが前記プログラムを実行すると、
更新された測位リソース構成情報及び／又は削除された測位リソース構成情報を持つＬＰＰメッセージを、ローカル測位管理機能エンティティ又は測位管理機能エンティティであるネットワークノードから前記トランシーバを利用して受信することと、
ＬＰＰメッセージに基づいて測位構成情報を変更することとが実現される、端末。
【請求項６３】
前記プロセッサは、具体的に、
前記ＬＰＰメッセージの更新された測位リソース構成情報に基づいて、最新の測位構成情報を保存し、及び／又は、
前記ＬＰＰメッセージの削除された測位リソース構成情報に基づいて、対応する測位構成情報を除く、請求項６２に記載の端末。
【請求項６４】
基地局であって、
メモリと、プロセッサと、トランシーバと、前記メモリに格納されて前記プロセッサで実行可能なコンピュータプログラムを含み、
ここで、前記プロセッサが前記プログラムを実行すると、
ローカル測位管理機能エンティティ又は測位管理機能エンティティであるネットワークノードから送信された測位リソース調整情報を、前記トランシーバを利用して受信することと、
前記測位リソース調整情報に基づいて、対応する測位専用リソースを構成して活性化させることとが実現され、
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する、基地局。
【請求項６５】
前記ターゲットセルの構成すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項６４に記載の基地局。
【請求項６６】
前記測位専用リソース情報は、
自身の発効時間情報を更に含み、
前記プロセッサは、具体的に、
前記測位リソース調整情報に基づいて、対応する測位専用リソースを構成して対応するタイミングに活性化させる、請求項６５に記載の基地局。
【請求項６７】
前記発効時間情報は、
システムフレーム番号ＳＦＮの形式で示される、請求項６６に記載の基地局。
【請求項６８】
前記プロセッサは、
前記測位リソース調整情報に基づいて、対応する測位専用リソースを構成して活性化した後に、ターゲットポイントの全部又は一部について構成が成功したことを示すメッセージである第１構成成功応答メッセージを前記ネットワークノードに、前記トランシーバを利用してフィードバックする、請求項６４に記載の基地局。
【請求項６９】
前記測位リソース調整情報が、予め構成された測位専用リソース情報の活性化を前記基地局に指示する場合、
前記第１構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項６８に記載の基地局。
【請求項７０】
前記プロセッサは、具体的に、
ネットワークノードからＬＰＰａのパケット形式で送信され、アクセス・モビリティ管理機能エンティティＡＭＦによって中継され、Ｎ２インターフェースを用いて伝送された測位リソース調整情報を前記トランシーバを利用して受信する、請求項６４に記載の基地局。
【請求項７１】
前記プロセッサは、更に、
ネットワークノードから送信された測位リソース調整情報を受信した後に、ネットワークノードから送信された測位リソース更新情報を前記トランシーバを利用して受信し、
前記測位リソース更新情報に基づいて、対応する更新動作を構成して活性化し、
ここで、前記測位リソース更新情報は、前記基地局の新規追加ターゲットセルの識別情報を含み、前記基地局の新規追加ターゲットセルの構成すべき測位専用リソース情報を持ち、又は、
前記測位リソース更新情報は、測位リソースを解放すべき前記基地局のターゲットセルの識別情報を含み、又は、
前記測位リソース更新情報は、測位リソースを変更すべき前記基地局のターゲットセルの識別情報を含み、測位リソースを変更すべき前記基地局のターゲットセルの更新すべき測位専用リソース情報を持ち、又は、
前記測位リソース更新情報は、測位リソースの活性化を所望する前記基地局の新規追加ターゲットセルの識別情報を含み、対応する予め構成された測位専用リソース情報の活性化を前記基地局に指示し、又は、
前記測位リソース更新情報は、測位リソースの変更を所望する前記基地局のターゲットセルの識別情報を含み、対応する予め構成された測位専用リソース情報の活性化を前記基地局に指示する、請求項６４に記載の基地局。
【請求項７２】
前記基地局の新規追加ターゲットセルの構成すべき測位専用リソース情報、及び／又は、測位リソースを変更すべき前記基地局のターゲットセルの更新すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項７１に記載の基地局。
【請求項７３】
前記測位リソース更新情報は、
自身の発効時間情報を更に含み、
前記プロセッサは、具体的に、
前記測位リソース更新情報に基づいて、対応する更新動作を構成して対応するタイミングに活性化させる、請求項７２に記載の基地局。
【請求項７４】
前記発効時間情報は、
システムフレーム番号ＳＦＮの形式で示される、請求項７３に記載の基地局。
【請求項７５】
前記プロセッサは、更に、
ネットワークノードから送信された測位リソース更新情報を受信した後に、ターゲットポイントの全部又は一部について構成が成功したことを示すメッセージである第２構成成功応答メッセージを、前記トランシーバを利用して前記ネットワークノードにフィードバックする、請求項７１に記載の基地局。
【請求項７６】
前記測位リソース更新情報が、対応する予め構成された測位専用リソース情報の活性化を前記基地局に指示する場合、
前記第２構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項７５に記載の基地局。
【請求項７７】
前記プロセッサは、具体的に、
ネットワークノードからＬＰＰａのパケット形式で送信され、アクセス・モビリティ管理機能エンティティＡＭＦによって中継され、Ｎ２インターフェースを用いて伝送された測位リソース更新情報を前記トランシーバを利用して受信する、請求項７１に記載の基地局。
【請求項７８】
前記プロセッサは、更に、
ネットワークノードから送信された測位リソース調整情報を受信した後に、前記ネットワークノードから送信された測位リソース解放情報を前記トランシーバを利用して受信し、
前記測位リソース解放情報に基づいて、対応する測位専用リソースを解放し、
リソース解放成功メッセージを前記トランシーバを利用して前記ネットワークノードにフィードバックし、
ここで、前記測位リソース解放情報は、測位リソースの解放を所望する前記基地局のターゲットセットの識別情報を含み、
前記リソース解放成功メッセージは、ターゲットポイントの全部又は一部についてリソース解放が成功したことを示すメッセージである、請求項６４又は７１に記載の基地局。
【請求項７９】
前記プロセッサは、具体的に、
前記ネットワークノードからＬＰＰａのパケット形式で送信され、アクセス・モビリティ管理機能エンティティＡＭＦによって中継され、Ｎ２インターフェースを用いて伝送された測位リソース解放情報を前記トランシーバを利用して受信する、請求項７８に記載の基地局。
【請求項８０】
前記プロセッサは、更に、
ネットワークノードから送信された測位リソース調整情報を受信した後に、無線リソース管理ＲＲＭニーズに応じて、ターゲットポイントの測位リソースの変更ニーズが存在する場合、測位リソース調整情報を前記トランシーバを利用して前記ネットワークノードに送信し、
前記ネットワークノードからフィードバックされた調整成功応答メッセージを、前記トランシーバを利用して受信し、
ここで、前記測位リソース調整情報は、測位リソースの更新を所望する前記基地局のターゲットセルの識別情報及び対応する推奨測位専用リソース情報を含み、又は、前記測位リソース調整情報は、測位リソースを解放すべき前記基地局のターゲットセルの識別情報を含み、
前記調整成功応答メッセージは、ターゲットポイントの全部又は一部について調整が成功したことを示すメッセージである、請求項６４又は７１に記載の基地局。
【請求項８１】
前記プロセッサは、具体的に、
前記トランシーバを利用して前記測位リソース調整情報を、ＬＰＰａのパケット形式で、アクセス・モビリティ管理機能エンティティＡＭＦの中継によって前記ネットワークノードに伝送する、請求項８０に記載の基地局。
【請求項８２】
前記推奨測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項８０に記載の基地局。
【請求項８３】
コンピュータプログラムが格納されているコンピュータ読み取り可能な記憶媒体であって、
ここで、該プログラムがプロセッサによって実行されると、請求項１〜２０のいずれか１項に記載の測位リソース調整方法が実現され、又は、
該プログラムがプロセッサによって実行されると、請求項２１又は２２に記載の測位リソース調整方法が実現され、又は、
該プログラムがプロセッサによって実行されると、請求項２３〜４１のいずれか１項に記載の測位リソース調整方法が実現される、コンピュータ読み取り可能な記憶媒体。
【請求項８４】
ローカル測位管理機能エンティティ又は測位管理機能エンティティであるネットワークノードに応用される測位リソース調整装置であって、
サービング端末に対する測位測定に先立って、前記サービング端末に関連する基地局に測位リソース調整情報を送信する第１送信モジュールを含み、
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する、測位リソース調整装置。
【請求項８５】
基地局に測位リソース調整情報を送信した後に、測位測定リソース又は測定信号源をサービング端末に対して更新する前に、測位リソース更新情報を基地局に送信する第２送信モジュールを更に含み、
ここで、前記測位リソース更新情報は、前記基地局の新規追加ターゲットセルの識別情報を含み、前記基地局の新規追加ターゲットセルの構成すべき測位専用リソース情報を持ち、又は、
前記測位リソース更新情報は、測位リソースを解放すべき前記基地局のターゲットセルの識別情報を含み、又は、
前記測位リソース更新情報は、測位リソースを変更すべき前記基地局のターゲットセルの識別情報を含み、測位リソースを変更すべき前記基地局のターゲットセルの更新すべき測位専用リソース情報を持ち、又は、
前記測位リソース更新情報は、測位リソースの活性化を所望する前記基地局の新規追加ターゲットセルの識別情報を含み、対応する予め構成された測位専用リソース情報の活性化を前記基地局に指示し、又は、
前記測位リソース更新情報は、測位リソースの変更を所望する前記基地局のターゲットセルの識別情報を含み、対応する予め構成された測位専用リソース情報の活性化を前記基地局に指示し、
前記基地局は、前記サービング端末に関連する基地局である、請求項８４に記載の測位リソース調整装置。
【請求項８６】
基地局に測位リソース調整情報を送信した後に、変更が発生する測位リソース情報を利用して対応するＬＰＰメッセージであって、更新された測位リソース構成情報及び／又は削除された測位リソース構成情報を持つＬＰＰメッセージを形成する第１処理モジュールと、
前記ＬＰＰメッセージを測位ニーズのある端末に送信する第４送信モジュールとを更に含む、請求項８４又は８５に記載の測位リソース調整装置。
【請求項８７】
端末に応用される測位リソース調整装置であって、
更新された測位リソース構成情報及び／又は削除された測位リソース構成情報を持つＬＰＰメッセージを、ローカル測位管理機能エンティティ又は測位管理機能エンティティであるネットワークノードから受信する第５受信モジュールと、
ＬＰＰメッセージに基づいて測位構成情報を変更する第２処理モジュールとを含む、測位リソース調整装置。
【請求項８８】
基地局に応用される測位リソース調整装置であって、
ローカル測位管理機能エンティティ又は測位管理機能エンティティであるネットワークノードから送信された測位リソース調整情報を受信する第６受信モジュールと、
前記測位リソース調整情報に基づいて、対応する測位専用リソースを構成して活性化させる第３処理モジュールとを含み、
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する、測位リソース調整装置。
【請求項８９】
ネットワークノードから送信された測位リソース調整情報を受信した後に、ネットワークノードから送信された測位リソース更新情報を受信する第７受信モジュールと、
前記測位リソース更新情報に基づいて、対応する更新動作を構成して活性化させる第４処理モジュールとを更に含み、
ここで、前記測位リソース更新情報は、前記基地局の新規追加ターゲットセルの識別情報を含み、前記基地局の新規追加ターゲットセルの構成すべき測位専用リソース情報を持ち、又は、
前記測位リソース更新情報は、測位リソースを解放すべき前記基地局のターゲットセルの識別情報を含み、又は、
前記測位リソース更新情報は、測位リソースを変更すべき前記基地局のターゲットセルの識別情報を含み、測位リソースを変更すべき前記基地局のターゲットセルの更新すべき測位専用リソース情報を持ち、又は、
前記測位リソース更新情報は、測位リソースの活性化を所望する前記基地局の新規追加ターゲットセルの識別情報を含み、対応する予め構成された測位専用リソース情報の活性化を前記基地局に指示し、又は、
前記測位リソース更新情報は、測位リソースの変更を所望する前記基地局のターゲットセルの識別情報を含み、対応する予め構成された測位専用リソース情報の活性化を前記基地局に指示する、請求項８８に記載の測位リソース調整装置。
【発明の詳細な説明】
【技術分野】
【０００１】
＜関連出願の相互参照＞
本願は、２０１８年９月５日に中国特許庁に提出された中国特許出願２０１８１１０３１４３８．０の優先権を主張し、その全ての内容が援用によりここに取り込まれる。
本開示は、通信技術分野に係り、特に測位リソース調整方法及びその装置、ネットワークノード、端末並びに基地局に係る。
【背景技術】
【０００２】
ロケーションサービスＬＢＳ（Ｌｏｃａｔｉｏｎ  Ｂａｓｅｄ  Ｓｅｒｖｉｃｅｓ）は、無線通信ネットワークや他の測位システムを介して端末の位置情報を取得し、地理情報システムと組み合わせて、位置に関する様々な情報をユーザに提供するサービスである。全球衛星測位システムＧＮＳＳ（Ｇｌｏｂａｌ  Ｎａｖｉｇａｔｉｏｎ  Ｓａｔｅｌｌｉｔｅ  Ｓｙｓｔｅｍ）による屋外測位技術が様々な分野で広く利用されているほか、４Ｇ移動通信ネットワークによる高精度測位技術は、衛星測位システムによる測位を効果的に補っている。移動通信ネットワークは、５Ｇ技術時代に入っているため、より簡潔で効率的な５Ｇ測位ネットワークアーキテクチャを研究する必要がある。このような５Ｇ測位ネットワークアーキテクチャは、４Ｇ  ＬＴＥ（ロングタームエボリューション）アーキテクチャと比較して、より高い精度及びより低い遅延の測位ニーズを有するべきである。
【０００３】
（１）５Ｇ移動通信システム
５Ｇシステムでは、ネットワーク側のノード同士は、有線で接続されることが多く、即ち５Ｇ基地局ｇＮＢ（ＮＲ  ＮｏｄｅＢ）同士は、有線リンクで接続される。ｇＮＢと、例えばアクセス・モビリティ管理機能エンティティＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）、ユーザプレーン機能エンティティＵＰＦ（Ｕｓｅｒ  Ｐｌａｎｅ  Ｆｕｎｃｔｉｏｎ）などのコアネットワークノードとの両者間も、有線リンクで接続される。
Ｎｇ−ｅＮＢ（コアネットワーク５ＧＣにアクセス可能な４Ｇ基地局ノード）：ｎｏｄｅ  ｐｒｏｖｉｄｉｎｇ  Ｅ−ＵＴＲＡ  ｕｓｅｒ  ｐｌａｎｅ  ａｎｄ  ｃｏｎｔｒｏｌ  ｐｌａｎｅ  ｐｒｏｔｏｃｏｌ  ｔｅｒｍｉｎａｔｉｏｎｓ  ｔｏｗａｒｄｓ  ｔｈｅ  ＵＥ，ａｎｄ  ｃｏｎｎｅｃｔｅｄ  ｖｉａ  ｔｈｅ  ＮＧ  ｉｎｔｅｒｆａｃｅ  ｔｏ  ｔｈｅ５  ＧＣ（汎用通信無線アクセスネットワークＥ−ＵＴＲＡユーザプレーン及び制御プレーンプロトコル終了を提供するノード）。具体的には、図１に示すように、図中のＸｎは、Ｘｎインターフェースを示し、ＮＧは、ＮＧインターフェースを示し、ＮＧ−ＲＡＮは、無線アクセスネットワークを示す。
【０００４】
（２）５Ｇ無線プロトコルアーキテクチャ
５Ｇ基本ユーザプレーンプロトコル層は、サービス発見アプリケーション仕様層ＳＤＡＰ、パケットデータコンバージェンスプロトコル層ＰＤＣＰ、無線リンク層ＲＬＣ及び媒体アクセス制御層ＭＡＣ、物理層ＰＨＹを含む。制御プレーンプロトコル層は、非アクセス層ＮＡＳ、無線リソース制御層ＲＲＣ、ＰＤＣＰ、ＲＬＣ、ＭＡＣ及びＰＨＹを含む。具体的には、ユーザプレーン及び制御プレーンのプロトコルスタックアーキテクチャは、図２に示される。
【０００５】
（３）５Ｇ測位ネットワークアーキテクチャ
図３には、トラフィックに基づく測位サービスネットワークアーキテクチャが示されている。ＬＭＦ（測位管理機能エンティティ）は、測位計算をサポートし、端末ＵＥから下り測位測定結果又は測位推定値を取得し、ＲＡＮ（無線アクセスネットワーク）側から上り測位測定結果を取得し、ＲＡＮ側から支援データ等を取得する機能を有する。図中のＮ１は、Ｎ１インターフェース（ＵＥとＡＭＦとの間の論理インターフェースとして理解されてもよい）を示し、Ｎ２は、Ｎ２インターフェースを示し、ＮＬｓは、ＮＬｓインターフェースを示し、ＮＬｇは、ＮＬｇインターフェースを示し、ＮＬｈは、ＮＬｈインターフェースを示し、Ｌｅは、Ｌｅインターフェースを示し、ＵＤＭは、統合データ管理エンティティを示し、ＧＭＬＣは、ゲートウエイ移動位置中心エンティティを示し、ＬＲＦは、位置取得機能エンティティを示し、Ｅｘｔｅｒｎａｌ  Ｃｌｉｅｎｔは、外部クライアントを示す。
【０００６】
しかしながら、関連する４Ｇ又は５Ｇネットワーク測位技術では、測位リソースに関する動的な調整機構がなく、その結果、冗長な測位リソースが他のネットワークエレメントに余分な信号干渉を与え、貴重な無線リソースも浪費する。
【発明の概要】
【発明が解決しようとする課題】
【０００７】
本開示は、関連技術のネットワーク測位において冗長な測位リソースが他のネットワークエレメントに余分な信号干渉を与えるという問題を解決する測位リソース調整方法及びその装置、ネットワークノード、端末並びに基地局を提供することを目的とする。
【課題を解決するための手段】
【０００８】
上記の技術課題を解決するために、本開示の実施例に係る、ローカル測位管理機能エンティティ又は測位管理機能エンティティであるネットワークノードに応用される測位リソース調整方法は、
サービング端末に対する測位測定に先立って、前記サービング端末に関連する基地局に測位リソース調整情報を送信することを含み、
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する。
【０００９】
任意選択で、前記ターゲットセルの構成すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００１０】
任意選択で、前記測位専用リソース情報は、自身の発効時間情報を更に含む。
【００１１】
任意選択で、前記発効時間情報は、システムフレーム番号ＳＦＮの形式で示される。
【００１２】
任意選択で、基地局に測位リソース調整情報を送信した後に、
前記測位リソース調整方法は、
前記基地局からフィードバックされた第１構成成功応答メッセージを受信することと、
必要な測位リソースの最小構成セットの完了後に、対応する下り測位測定プロセスをトリガすることとを更に含み、
ここで、前記第１構成成功応答メッセージは、ターゲットポイントの全部又は一部について構成が成功したことを示すメッセージである。
【００１３】
任意選択で、前記測位リソース調整情報が、予め構成された測位専用リソース情報の活性化を前記基地局に指示する場合、
前記第１構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００１４】
任意選択で、前記の基地局に測位リソース調整情報を送信することは、
前記測位リソース調整情報を、ＬＰＰａのパケット形式で、アクセス・モビリティ管理機能エンティティＡＭＦの中継により、Ｎ２インターフェースを用いて基地局に伝送することを含む。
【００１５】
任意選択で、基地局に測位リソース調整情報を送信した後に、
前記測位リソース調整方法は、
測位測定リソース又は測定信号源をサービング端末に対して更新する前に、測位リソース更新情報を基地局に送信することを更に含み、
ここで、前記測位リソース更新情報は、前記基地局の新規追加ターゲットセルの識別情報を含み、前記基地局の新規追加ターゲットセルの構成すべき測位専用リソース情報を持ち、又は、
前記測位リソース更新情報は、測位リソースを解放すべき前記基地局のターゲットセルの識別情報を含み、又は、
前記測位リソース更新情報は、測位リソースを変更すべき前記基地局のターゲットセルの識別情報を含み、測位リソースを変更すべき前記基地局のターゲットセルの更新すべき測位専用リソース情報を持ち、又は、
前記測位リソース更新情報は、測位リソースの活性化を所望する前記基地局の新規追加ターゲットセルの識別情報を含み、対応する予め構成された測位専用リソース情報の活性化を前記基地局に指示し、又は、
前記測位リソース更新情報は、測位リソースの変更を所望する前記基地局のターゲットセルの識別情報を含み、対応する予め構成された測位専用リソース情報の活性化を前記基地局に指示し、
前記基地局は、前記サービング端末に関連する基地局である。
【００１６】
任意選択で、前記基地局の新規追加ターゲットセルの構成すべき測位専用リソース情報、及び／又は、測位リソースを変更すべき前記基地局のターゲットセルの更新すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００１７】
任意選択で、前記測位リソース更新情報は、
自身の発効時間情報を更に含む。
【００１８】
任意選択で、前記発効時間情報は、
システムフレーム番号ＳＦＮの形式で示される。
【００１９】
任意選択で、基地局に測位リソース更新情報を送信した後に、
前記測位リソース調整方法は、
前記基地局からフィードバックされた第２構成成功応答メッセージを受信することと、
必要な測位リソースの最小構成セットの完了後に、対応する下り測位測定プロセスをトリガすることとを更に含み、
ここで、前記第２構成成功応答メッセージは、ターゲットポイントの全部又は一部について構成が成功したことを示すメッセージである。
【００２０】
任意選択で、前記測位リソース更新情報が、対応する予め構成された測位専用リソース情報の活性化を前記基地局に指示する場合、
前記第２構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００２１】
任意選択で、前記の基地局に測位リソース更新情報を送信することは、
前記測位リソース更新情報を、ＬＰＰａのパケット形式で、アクセス・モビリティ管理機能エンティティＡＭＦの中継により、Ｎ２インターフェースを用いて基地局に伝送することを含む。
【００２２】
任意選択で、基地局に測位リソース調整情報を送信した後に、
前記測位リソース調整方法は、
前記基地局に測位リソース解放情報を送信することと、
前記基地局によってフィードバックされたリソース解放成功メッセージを受信することとを更に含み、
ここで、前記測位リソース解放情報は、測位リソースの解放を所望する前記基地局のターゲットセットの識別情報を含み、
前記リソース解放成功メッセージは、ターゲットポイントの全部又は一部についてリソース解放が成功したことを示すメッセージである。
【００２３】
任意選択で、前記の基地局に測位リソース解放情報を送信することは、
前記測位リソース解放情報を、ＬＰＰａのパケット形式で、アクセス・モビリティ管理機能エンティティＡＭＦの中継により、Ｎ２インターフェースを用いて基地局に伝送することを含む。
【００２４】
任意選択で、基地局に測位リソース調整情報を送信した後に、
前記測位リソース調整方法は、
前記基地局から送信された測位リソース調整情報を受信することと、
測位のニーズに応じて、調整成功応答メッセージを前記基地局にフィードバックすることとを更に含み、
ここで、前記測位リソース調整情報は、測位リソースの更新を所望する前記基地局のターゲットセルの識別情報及び対応する推奨測位専用リソース情報を含み、又は、前記測位リソース調整情報は、測位リソースを解放すべき前記基地局のターゲットセルの識別情報を含み、
前記調整成功応答メッセージは、ターゲットポイントの全部又は一部について調整が成功したことを示すメッセージである。
【００２５】
任意選択で、前記の前記基地局から送信された測位リソース調整情報を受信することは、
前記基地局からＬＰＰａのパケット形式で送信され、アクセス・モビリティ管理機能エンティティＡＭＦによって中継された測位リソース調整情報を受信することを含む。
【００２６】
任意選択で、前記推奨測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００２７】
任意選択で、基地局に測位リソース調整情報を送信した後に、
前記測位リソース調整方法は、
変更が発生する測位リソース情報を利用して対応するピアレイヤーポジショニングプロトコルＬＰＰメッセージであって、更新された測位リソース構成情報及び／又は削除された測位リソース構成情報を持つＬＰＰメッセージを形成することと、
前記ＬＰＰメッセージを測位ニーズのある端末に送信することとを更に含む。
【００２８】
本開示の実施例に係る、端末に応用される測位リソース調整方法は、
更新された測位リソース構成情報及び／又は削除された測位リソース構成情報を持つＬＰＰメッセージを、ローカル測位管理機能エンティティ又は測位管理機能エンティティであるネットワークノードから受信することと、
ＬＰＰメッセージに基づいて測位構成情報を変更することとを含む。
【００２９】
任意選択で、前記のＬＰＰメッセージに基づいて測位構成情報を変更することは、
前記ＬＰＰメッセージの更新された測位リソース構成情報に基づいて、最新の測位構成情報を保存すること、及び／又は、
前記ＬＰＰメッセージの削除された測位リソース構成情報に基づいて、対応する測位構成情報を除くことを含む。
【００３０】
本開示の実施例に係る、基地局に応用される測位リソース調整方法は、
ローカル測位管理機能エンティティ又は測位管理機能エンティティであるネットワークノードから送信された測位リソース調整情報を受信することと、
前記測位リソース調整情報に基づいて、対応する測位専用リソースを構成して活性化させることとを含み、
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する。
【００３１】
任意選択で、前記ターゲットセルの構成すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００３２】
任意選択で、前記測位専用リソース情報は、
自身の発効時間情報を更に含み、
前記の前記測位リソース調整情報に基づいて、対応する測位専用リソースを構成して活性化させることは、
前記測位リソース調整情報に基づいて、対応する測位専用リソースを構成して対応するタイミングに活性化させることを含む。
【００３３】
任意選択で、前記発効時間情報は、
システムフレーム番号ＳＦＮの形式で示される。
【００３４】
任意選択で、前記測位リソース調整情報に基づいて、対応する測位専用リソースを構成して活性化した後に、
前記測位リソース調整方法は、
ターゲットポイントの全部又は一部について構成が成功したことを示すメッセージである第１構成成功応答メッセージを、前記ネットワークノードにフィードバックすることを更に含む。
【００３５】
任意選択で、前記測位リソース調整情報が、予め構成された測位専用リソース情報の活性化を前記基地局に指示する場合、
前記第１構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００３６】
任意選択で、前記のネットワークノードから送信された測位リソース調整情報を受信することは、
ネットワークノードからＬＰＰａのパケット形式で送信され、アクセス・モビリティ管理機能エンティティＡＭＦによって中継され、Ｎ２インターフェースを用いて伝送された測位リソース調整情報を受信することを含む。
【００３７】
任意選択で、ネットワークノードから送信された測位リソース調整情報を受信した後に、
前記測位リソース調整方法は、
ネットワークノードから送信された測位リソース更新情報を受信することと、
前記測位リソース更新情報に基づいて、対応する更新動作を構成して活性化させることとを更に含み、
ここで、前記測位リソース更新情報は、前記基地局の新規追加ターゲットセルの識別情報を含み、前記基地局の新規追加ターゲットセルの構成すべき測位専用リソース情報を持ち、又は、
前記測位リソース更新情報は、測位リソースを解放すべき前記基地局のターゲットセルの識別情報を含み、又は、
前記測位リソース更新情報は、測位リソースを変更すべき前記基地局のターゲットセルの識別情報を含み、測位リソースを変更すべき前記基地局のターゲットセルの更新すべき測位専用リソース情報を持ち、又は、
前記測位リソース更新情報は、測位リソースの活性化を所望する前記基地局の新規追加ターゲットセルの識別情報を含み、対応する予め構成された測位専用リソース情報の活性化を前記基地局に指示し、又は、
前記測位リソース更新情報は、測位リソースの変更を所望する前記基地局のターゲットセルの識別情報を含み、対応する予め構成された測位専用リソース情報の活性化を前記基地局に指示する。
【００３８】
任意選択で、前記基地局の新規追加ターゲットセルの構成すべき測位専用リソース情報、及び／又は、測位リソースを変更すべき前記基地局のターゲットセルの更新すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００３９】
任意選択で、前記測位リソース更新情報は、
自身の発効時間情報を更に含み、
前記の前記測位リソース更新情報に基づいて、対応する更新動作を構成して活性化させることは、
前記測位リソース更新情報に基づいて、対応する更新動作を構成して対応するタイミングに活性化させることを含む。
【００４０】
任意選択で、前記発効時間情報は、
システムフレーム番号ＳＦＮの形式で示される。
【００４１】
任意選択で、ネットワークノードから送信された測位リソース更新情報を受信した後に、
前記測位リソース調整方法は、
ターゲットポイントの全部又は一部について構成が成功したことを示すメッセージである第２構成成功応答メッセージを、前記ネットワークノードにフィードバックすることを更に含む。
【００４２】
任意選択で、前記測位リソース更新情報が、対応する予め構成された測位専用リソース情報の活性化を前記基地局に指示する場合、
前記第２構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００４３】
任意選択で、前記のネットワークノードから送信された測位リソース更新情報を受信することは、
ネットワークノードからＬＰＰａのパケット形式で送信され、アクセス・モビリティ管理機能エンティティＡＭＦによって中継され、Ｎ２インターフェースを用いて伝送された測位リソース更新情報を受信することを含む。
【００４４】
任意選択で、ネットワークノードから送信された測位リソース調整情報を受信した後に、
前記測位リソース調整方法は、
前記ネットワークノードから送信された測位リソース解放情報を受信することと、
前記測位リソース解放情報に基づいて、対応する測位専用リソースを解放することと、
リソース解放成功メッセージを前記ネットワークノードにフィードバックすることとを更に含み、
ここで、前記測位リソース解放情報は、測位リソースの解放を所望する前記基地局のターゲットセットの識別情報を含み、
前記リソース解放成功メッセージは、ターゲットポイントの全部又は一部についてリソース解放が成功したことを示すメッセージである。
【００４５】
任意選択で、前記の前記ネットワークノードから送信された測位リソース解放情報を受信することは、
前記ネットワークノードからＬＰＰａのパケット形式で送信され、アクセス・モビリティ管理機能エンティティＡＭＦによって中継され、Ｎ２インターフェースを用いて伝送された測位リソース解放情報を受信することを含む。
【００４６】
任意選択で、ネットワークノードから送信された測位リソース調整情報を受信した後に、
前記測位リソース調整方法は、
無線リソース管理ＲＲＭニーズに応じて、ターゲットポイントの測位リソースの変更ニーズが存在する場合、測位リソース調整情報を前記ネットワークノードに送信することと、
前記ネットワークノードからフィードバックされた調整成功応答メッセージを受信することとを更に含み、
ここで、前記測位リソース調整情報は、測位リソースの更新を所望する前記基地局のターゲットセルの識別情報及び対応する推奨測位専用リソース情報を含み、又は、前記測位リソース調整情報は、測位リソースを解放すべき前記基地局のターゲットセルの識別情報を含み、
前記調整成功応答メッセージは、ターゲットポイントの全部又は一部について調整が成功したことを示すメッセージである。
【００４７】
任意選択で、前記の前記ネットワークノードに測位リソース調整情報を送信することは、
前記測位リソース調整情報を、ＬＰＰａのパケット形式で、アクセス・モビリティ管理機能エンティティＡＭＦの中継によって前記ネットワークノードに伝送することを含む。
【００４８】
任意選択で、前記推奨測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００４９】
本開示の実施例に係る、ネットワークノードは、
ローカル測位管理機能エンティティ又は測位管理機能エンティティであり、
メモリと、プロセッサと、トランシーバと、前記メモリに格納されて前記プロセッサで実行可能なコンピュータプログラムを含み、
ここで、前記プロセッサが前記プログラムを実行すると、
サービング端末に対する測位測定に先立って、前記サービング端末に関連する基地局に測位リソース調整情報を前記トランシーバを利用して送信するステップが実現され、
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する。
【００５０】
任意選択で、前記ターゲットセルの構成すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００５１】
任意選択で、前記測位専用リソース情報は、
自身の発効時間情報を更に含む。
【００５２】
任意選択で、前記発効時間情報は、
システムフレーム番号ＳＦＮの形式で示される。
【００５３】
任意選択で、前記プロセッサは、更に、
基地局に測位リソース調整情報を送信した後に、前記基地局からフィードバックされた第１構成成功応答メッセージを前記トランシーバを利用して受信し、
必要な測位リソースの最小構成セットの完了後に、対応する下り測位測定プロセスをトリガし、
ここで、前記第１構成成功応答メッセージは、ターゲットポイントの全部又は一部について構成が成功したことを示すメッセージである。
【００５４】
任意選択で、前記測位リソース調整情報が、予め構成された測位専用リソース情報の活性化を前記基地局に指示する場合、
前記第１構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００５５】
任意選択で、前記プロセッサは、具体的に、
前記トランシーバを利用して前記測位リソース調整情報を、ＬＰＰａのパケット形式で、アクセス・モビリティ管理機能エンティティＡＭＦの中継により、Ｎ２インターフェースを用いて基地局に伝送する。
【００５６】
任意選択で、前記プロセッサは、更に、
基地局に測位リソース調整情報を送信した後に、測位測定リソース又は測定信号源をサービング端末に対して更新する前に、測位リソース更新情報を前記トランシーバを利用して基地局に送信し、
ここで、前記測位リソース更新情報は、前記基地局の新規追加ターゲットセルの識別情報を含み、前記基地局の新規追加ターゲットセルの構成すべき測位専用リソース情報を持ち、又は、
前記測位リソース更新情報は、測位リソースを解放すべき前記基地局のターゲットセルの識別情報を含み、又は、
前記測位リソース更新情報は、測位リソースを変更すべき前記基地局のターゲットセルの識別情報を含み、測位リソースを変更すべき前記基地局のターゲットセルの更新すべき測位専用リソース情報を持ち、又は、
前記測位リソース更新情報は、測位リソースの活性化を所望する前記基地局の新規追加ターゲットセルの識別情報を含み、対応する予め構成された測位専用リソース情報の活性化を前記基地局に指示し、又は、
前記測位リソース更新情報は、測位リソースの変更を所望する前記基地局のターゲットセルの識別情報を含み、対応する予め構成された測位専用リソース情報の活性化を前記基地局に指示し、
前記基地局は、前記サービング端末に関連する基地局である。
【００５７】
任意選択で、前記基地局の新規追加ターゲットセルの構成すべき測位専用リソース情報、及び／又は、測位リソースを変更すべき前記基地局のターゲットセルの更新すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００５８】
任意選択で、前記測位リソース更新情報は、
自身の発効時間情報を更に含む。
【００５９】
任意選択で、前記発効時間情報は、
システムフレーム番号ＳＦＮの形式で示される。
【００６０】
任意選択で、前記プロセッサは、更に、
基地局に測位リソース更新情報を送信した後に、前記基地局からフィードバックされた第２構成成功応答メッセージを前記トランシーバを利用して受信し、
必要な測位リソースの最小構成セットの完了後に、対応する下り測位測定プロセスをトリガし、
ここで、前記第２構成成功応答メッセージは、ターゲットポイントの全部又は一部について構成が成功したことを示すメッセージである。
【００６１】
任意選択で、前記測位リソース更新情報が、対応する予め構成された測位専用リソース情報の活性化を前記基地局に指示する場合、
前記第２構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００６２】
任意選択で、前記プロセッサは、具体的に、
前記トランシーバを利用して前記測位リソース更新情報を、ＬＰＰａのパケット形式で、アクセス・モビリティ管理機能エンティティＡＭＦの中継により、Ｎ２インターフェースを用いて基地局に伝送する。
【００６３】
任意選択で、前記プロセッサは、更に、
基地局に測位リソース調整情報を送信した後に、前記基地局に測位リソース解放情報を前記トランシーバを利用して送信し、
前記基地局によってフィードバックされたリソース解放成功メッセージを受信し、
ここで、前記測位リソース解放情報は、測位リソースの解放を所望する前記基地局のターゲットセットの識別情報を含み、
前記リソース解放成功メッセージは、ターゲットポイントの全部又は一部についてリソース解放が成功したことを示すメッセージである。
【００６４】
任意選択で、前記プロセッサは、具体的に、
前記トランシーバを利用して前記測位リソース解放情報を、ＬＰＰａのパケット形式で、アクセス・モビリティ管理機能エンティティＡＭＦの中継により、Ｎ２インターフェースを用いて基地局に伝送する。
【００６５】
任意選択で、前記プロセッサは、更に、
基地局に測位リソース調整情報を送信した後に、前記基地局から送信された測位リソース調整情報を前記トランシーバを利用して受信し、
測位のニーズに応じて、前記トランシーバを利用して調整成功応答メッセージを前記基地局にフィードバックし、
ここで、前記測位リソース調整情報は、測位リソースの更新を所望する前記基地局のターゲットセルの識別情報及び対応する推奨測位専用リソース情報を含み、又は、前記測位リソース調整情報は、測位リソースを解放すべき前記基地局のターゲットセルの識別情報を含み、
前記調整成功応答メッセージは、ターゲットポイントの全部又は一部について調整が成功したことを示すメッセージである。
【００６６】
任意選択で、前記プロセッサは、具体的に、
前記基地局からＬＰＰａのパケット形式で送信され、アクセス・モビリティ管理機能エンティティＡＭＦによって中継された測位リソース調整情報を前記トランシーバを利用して受信する。
【００６７】
任意選択で、前記推奨測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００６８】
任意選択で、前記プロセッサは、更に、
基地局に測位リソース調整情報を送信した後に、変更が発生する測位リソース情報を利用して対応するＬＰＰメッセージであって、更新された測位リソース構成情報及び／又は削除された測位リソース構成情報を持つＬＰＰメッセージを形成し、
前記トランシーバを利用して前記ＬＰＰメッセージを測位ニーズのある端末に送信する。
【００６９】
本開示の実施例に係、端末は、
メモリと、プロセッサと、トランシーバと、前記メモリに格納されて前記プロセッサで実行可能なコンピュータプログラムを含み、
ここで、前記プロセッサが前記プログラムを実行すると、
更新された測位リソース構成情報及び／又は削除された測位リソース構成情報を持つＬＰＰメッセージを、ローカル測位管理機能エンティティ又は測位管理機能エンティティであるネットワークノードから前記トランシーバを利用して受信することと、
ＬＰＰメッセージに基づいて測位構成情報を変更するステップとが実現される。
【００７０】
任意選択で、前記プロセッサは、具体的に、
前記ＬＰＰメッセージの更新された測位リソース構成情報に基づいて、最新の測位構成情報を保存し、及び／又は、
前記ＬＰＰメッセージの削除された測位リソース構成情報に基づいて、対応する測位構成情報を除く。
【００７１】
本開示の実施例に係る、基地局は、
メモリと、プロセッサと、トランシーバと、前記メモリに格納されて前記プロセッサで実行可能なコンピュータプログラムを含み、
ここで、前記プロセッサが前記プログラムを実行すると、
ローカル測位管理機能エンティティ又は測位管理機能エンティティであるネットワークノードから送信された測位リソース調整情報を、前記トランシーバを利用して受信することと、
前記測位リソース調整情報に基づいて、対応する測位専用リソースを構成して活性化させるステップとが実現され、
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する。
【００７２】
任意選択で、前記ターゲットセルの構成すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００７３】
任意選択で、前記測位専用リソース情報は、
自身の発効時間情報を更に含み、
前記プロセッサは、具体的に、
前記測位リソース調整情報に基づいて、対応する測位専用リソースを構成して対応するタイミングに活性化させる。
【００７４】
任意選択で、前記発効時間情報は、
システムフレーム番号ＳＦＮの形式で示される。
【００７５】
任意選択で、前記プロセッサは、
前記測位リソース調整情報に基づいて、対応する測位専用リソースを構成して活性化した後に、ターゲットポイントの全部又は一部について構成が成功したことを示すメッセージである第１構成成功応答メッセージを前記ネットワークノードに、前記トランシーバを利用してフィードバックする。
【００７６】
任意選択で、前記測位リソース調整情報が、予め構成された測位専用リソース情報の活性化を前記基地局に指示する場合、
前記第１構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００７７】
任意選択で、前記プロセッサは、具体的に、
ネットワークノードからＬＰＰａのパケット形式で送信され、アクセス・モビリティ管理機能エンティティＡＭＦによって中継され、Ｎ２インターフェースを用いて伝送された測位リソース調整情報を前記トランシーバを利用して受信する。
【００７８】
任意選択で、前記プロセッサは、更に、
ネットワークノードから送信された測位リソース調整情報を受信した後に、ネットワークノードから送信された測位リソース更新情報を前記トランシーバを利用して受信し、
前記測位リソース更新情報に基づいて、対応する更新動作を構成して活性化し、
ここで、前記測位リソース更新情報は、前記基地局の新規追加ターゲットセルの識別情報を含み、前記基地局の新規追加ターゲットセルの構成すべき測位専用リソース情報を持ち、又は、
前記測位リソース更新情報は、測位リソースを解放すべき前記基地局のターゲットセルの識別情報を含み、又は、
前記測位リソース更新情報は、測位リソースを変更すべき前記基地局のターゲットセルの識別情報を含み、測位リソースを変更すべき前記基地局のターゲットセルの更新すべき測位専用リソース情報を持ち、又は、
前記測位リソース更新情報は、測位リソースの活性化を所望する前記基地局の新規追加ターゲットセルの識別情報を含み、対応する予め構成された測位専用リソース情報の活性化を前記基地局に指示し、又は、
前記測位リソース更新情報は、測位リソースの変更を所望する前記基地局のターゲットセルの識別情報を含み、対応する予め構成された測位専用リソース情報の活性化を前記基地局に指示する。
【００７９】
任意選択で、前記基地局の新規追加ターゲットセルの構成すべき測位専用リソース情報、及び／又は、測位リソースを変更すべき前記基地局のターゲットセルの更新すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００８０】
任意選択で、前記測位リソース更新情報は、
自身の発効時間情報を更に含み、
前記プロセッサは、具体的に、
前記測位リソース更新情報に基づいて、対応する更新動作を構成して対応するタイミングに活性化させる。
【００８１】
任意選択で、前記発効時間情報は、
システムフレーム番号ＳＦＮの形式で示される。
【００８２】
任意選択で、前記プロセッサは、更に、
ネットワークノードから送信された測位リソース更新情報を受信した後に、ターゲットポイントの全部又は一部について構成が成功したことを示すメッセージである第２構成成功応答メッセージを、前記トランシーバを利用して前記ネットワークノードにフィードバックする。
【００８３】
任意選択で、前記測位リソース更新情報が、対応する予め構成された測位専用リソース情報の活性化を前記基地局に指示する場合、
前記第２構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００８４】
任意選択で、前記プロセッサは、具体的に、
ネットワークノードからＬＰＰａのパケット形式で送信され、アクセス・モビリティ管理機能エンティティＡＭＦによって中継され、Ｎ２インターフェースを用いて伝送された測位リソース更新情報を前記トランシーバを利用して受信する。
【００８５】
任意選択で、前記プロセッサは、更に、
ネットワークノードから送信された測位リソース調整情報を受信した後に、前記ネットワークノードから送信された測位リソース解放情報を前記トランシーバを利用して受信し、
前記測位リソース解放情報に基づいて、対応する測位専用リソースを解放し、
リソース解放成功メッセージを前記トランシーバを利用して前記ネットワークノードにフィードバックし、
ここで、前記測位リソース解放情報は、測位リソースの解放を所望する前記基地局のターゲットセットの識別情報を含み、
前記リソース解放成功メッセージは、ターゲットポイントの全部又は一部についてリソース解放が成功したことを示すメッセージである。
【００８６】
任意選択で、前記プロセッサは、具体的に、
前記ネットワークノードからＬＰＰａのパケット形式で送信され、アクセス・モビリティ管理機能エンティティＡＭＦによって中継され、Ｎ２インターフェースを用いて伝送された測位リソース解放情報を前記トランシーバを利用して受信する。
【００８７】
任意選択で、前記プロセッサは、更に、
ネットワークノードから送信された測位リソース調整情報を受信した後に、無線リソース管理ＲＲＭニーズに応じて、ターゲットポイントの測位リソースの変更ニーズが存在する場合、測位リソース調整情報を前記トランシーバを利用して前記ネットワークノードに送信し、
前記ネットワークノードからフィードバックされた調整成功応答メッセージを前記トランシーバを利用して受信し、
ここで、前記測位リソース調整情報は、測位リソースの更新を所望する前記基地局のターゲットセルの識別情報及び対応する推奨測位専用リソース情報を含み、又は、前記測位リソース調整情報は、測位リソースを解放すべき前記基地局のターゲットセルの識別情報を含み、
前記調整成功応答メッセージは、ターゲットポイントの全部又は一部について調整が成功したことを示すメッセージである。
【００８８】
任意選択で、前記プロセッサは、具体的に、
前記トランシーバを利用して前記測位リソース調整情報を、ＬＰＰａのパケット形式で、アクセス・モビリティ管理機能エンティティＡＭＦの中継によって前記ネットワークノードに伝送する。
【００８９】
任意選択で、前記推奨測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００９０】
本開示の実施例に係る、コンピュータプログラムが格納されているコンピュータ読み取り可能な記憶媒体は、
ここで、該プログラムがプロセッサによって実行されると、上記の測位リソース調整方法が実現される。
【００９１】
本開示の実施例に係る、ローカル測位管理機能エンティティ又は測位管理機能エンティティであるネットワークノードに応用される測位リソース調整装置は、
サービング端末に対する測位測定に先立って、前記サービング端末に関連する基地局に測位リソース調整情報を送信する第１送信モジュールを含み、
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する。
【００９２】
任意選択で、前記ターゲットセルの構成すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００９３】
任意選択で、前記測位専用リソース情報は、
自身の発効時間情報を更に含む。
【００９４】
任意選択で、前記発効時間情報は、
システムフレーム番号ＳＦＮの形式で示される。
【００９５】
任意選択で、前記測位リソース調整装置は、
基地局に測位リソース調整情報を送信した後に、前記基地局からフィードバックされた第１構成成功応答メッセージを受信する第１受信モジュールと、
必要な測位リソースの最小構成セットの完了後に、対応する下り測位測定プロセスをトリガする第１トリガモジュールとを更に含み、
ここで、前記第１構成成功応答メッセージは、ターゲットポイントの全部又は一部について構成が成功したことを示すメッセージである。
【００９６】
任意選択で、前記測位リソース調整情報が、予め構成された測位専用リソース情報の活性化を前記基地局に指示する場合、
前記第１構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【００９７】
任意選択で、前記第１送信モジュールは、
前記測位リソース調整情報を、ＬＰＰａのパケット形式で、アクセス・モビリティ管理機能エンティティＡＭＦの中継により、Ｎ２インターフェースを用いて基地局に伝送する第１送信サブモジュールを含む。
【００９８】
任意選択で、前記測位リソース調整装置は、
基地局に測位リソース調整情報を送信した後に、測位測定リソース又は測定信号源をサービング端末に対して更新する前に、測位リソース更新情報を基地局に送信する第２送信モジュールを更に含み、
ここで、前記測位リソース更新情報は、前記基地局の新規追加ターゲットセルの識別情報を含み、前記基地局の新規追加ターゲットセルの構成すべき測位専用リソース情報を持ち、又は、
前記測位リソース更新情報は、測位リソースを解放すべき前記基地局のターゲットセルの識別情報を含み、又は、
前記測位リソース更新情報は、測位リソースを変更すべき前記基地局のターゲットセルの識別情報を含み、測位リソースを変更すべき前記基地局のターゲットセルの更新すべき測位専用リソース情報を持ち、又は、
前記測位リソース更新情報は、測位リソースの活性化を所望する前記基地局の新規追加ターゲットセルの識別情報を含み、対応する予め構成された測位専用リソース情報の活性化を前記基地局に指示し、又は、
前記測位リソース更新情報は、測位リソースの変更を所望する前記基地局のターゲットセルの識別情報を含み、対応する予め構成された測位専用リソース情報の活性化を前記基地局に指示し、
前記基地局は、前記サービング端末に関連する基地局である。
【００９９】
任意選択で、前記基地局の新規追加ターゲットセルの構成すべき測位専用リソース情報、及び／又は、測位リソースを変更すべき前記基地局のターゲットセルの更新すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０１００】
任意選択で、前記測位リソース更新情報は、
自身の発効時間情報を更に含む。
【０１０１】
任意選択で、前記発効時間情報は、
システムフレーム番号ＳＦＮの形式で示される。
【０１０２】
任意選択で、前記測位リソース調整装置は、
基地局に測位リソース更新情報を送信した後に、前記基地局からフィードバックされた第２構成成功応答メッセージを受信する第２受信モジュールと、
必要な測位リソースの最小構成セットの完了後に、対応する下り測位測定プロセスをトリガする第２トリガモジュールとを更に含み、
ここで、前記第２構成成功応答メッセージは、ターゲットポイントの全部又は一部について構成が成功したことを示すメッセージである。
【０１０３】
任意選択で、前記測位リソース更新情報が、対応する予め構成された測位専用リソース情報の活性化を前記基地局に指示する場合、
前記第２構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０１０４】
任意選択で、前記第２送信モジュールは、
前記測位リソース更新情報を、ＬＰＰａのパケット形式で、アクセス・モビリティ管理機能エンティティＡＭＦの中継により、Ｎ２インターフェースを用いて基地局に伝送する第２送信サブモジュールを含む。
【０１０５】
任意選択で、前記測位リソース調整装置は、
基地局に測位リソース調整情報を送信した後に、前記基地局に測位リソース解放情報を送信する第３送信モジュールと、
前記基地局によってフィードバックされたリソース解放成功メッセージを受信する第３受信モジュールとを更に含み、
ここで、前記測位リソース解放情報は、測位リソースの解放を所望する前記基地局のターゲットセットの識別情報を含み、
前記リソース解放成功メッセージは、ターゲットポイントの全部又は一部についてリソース解放が成功したことを示すメッセージである。
【０１０６】
任意選択で、前記第３送信モジュールは、
前記測位リソース解放情報を、ＬＰＰａのパケット形式で、アクセス・モビリティ管理機能エンティティＡＭＦの中継により、Ｎ２インターフェースを用いて基地局に伝送する第３送信サブモジュールを含む。
【０１０７】
任意選択で、前記測位リソース調整装置は、
基地局に測位リソース調整情報を送信した後に、前記基地局から送信された測位リソース調整情報を受信する第４受信モジュールと、
測位のニーズに応じて、調整成功応答メッセージを前記基地局にフィードバックする第１フィードバックモジュールとを更に含み、
ここで、前記測位リソース調整情報は、測位リソースの更新を所望する前記基地局のターゲットセルの識別情報及び対応する推奨測位専用リソース情報を含み、又は、
前記測位リソース調整情報は、測位リソースを解放すべき前記基地局のターゲットセルの識別情報を含み、
前記調整成功応答メッセージは、ターゲットポイントの全部又は一部について調整が成功したことを示すメッセージである。
【０１０８】
任意選択で、前記第４受信モジュールは、
前記基地局からＬＰＰａのパケット形式で送信され、アクセス・モビリティ管理機能エンティティＡＭＦによって中継された測位リソース調整情報を受信する第１受信サブモジュールを含む。
【０１０９】
任意選択で、前記推奨測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０１１０】
任意選択で、前記測位リソース調整装置は、
基地局に測位リソース調整情報を送信した後に、変更が発生する測位リソース情報を利用して対応するＬＰＰメッセージであって、更新された測位リソース構成情報及び／又は削除された測位リソース構成情報を持つＬＰＰメッセージを形成する第１処理モジュールと、
前記ＬＰＰメッセージを測位ニーズのある端末に送信する第４送信モジュールとを更に含む。
【０１１１】
本開示の実施例に係る、端末に応用される測位リソース調整装置は、
更新された測位リソース構成情報及び／又は削除された測位リソース構成情報を持つＬＰＰメッセージを、ローカル測位管理機能エンティティ又は測位管理機能エンティティであるネットワークノードから受信する第５受信モジュールと、
ＬＰＰメッセージに基づいて測位構成情報を変更する第２処理モジュールとを含む。
【０１１２】
任意選択で、前記第２処理モジュールは、
前記ＬＰＰメッセージの更新された測位リソース構成情報に基づいて、最新の測位構成情報を保存し、及び／又は、前記ＬＰＰメッセージの削除された測位リソース構成情報に基づいて、対応する測位構成情報を除く第１処理サブモジュールを含む。
【０１１３】
本開示の実施例は、基地局に応用される測位リソース調整装置は、
ローカル測位管理機能エンティティ又は測位管理機能エンティティであるネットワークノードから送信された測位リソース調整情報を受信する第６受信モジュールと、
前記測位リソース調整情報に基づいて、対応する測位専用リソースを構成して活性化させる第３処理モジュールとを含み、
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する。
【０１１４】
任意選択で、前記ターゲットセルの構成すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０１１５】
任意選択で、前記測位専用リソース情報は、
自身の発効時間情報を更に含み、
前記第３処理モジュールは、
前記測位リソース調整情報に基づいて、対応する測位専用リソースを構成して対応するタイミングに活性化させる第２処理サブモジュールを含む。
【０１１６】
任意選択で、前記発効時間情報は、
システムフレーム番号ＳＦＮの形式で示される。
【０１１７】
任意選択で、前記測位リソース調整装置は、
前記測位リソース調整情報に基づいて、対応する測位専用リソースを構成して活性化した後に、ターゲットポイントの全部又は一部について構成が成功したことを示すメッセージである第１構成成功応答メッセージを前記ネットワークノードにフィードバックする第２フィードバックモジュールを更に含む。
【０１１８】
任意選択で、前記測位リソース調整情報が、予め構成された測位専用リソース情報の活性化を前記基地局に指示する場合、
前記第１構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０１１９】
任意選択で、前記第６受信モジュールは、
ネットワークノードからＬＰＰａのパケット形式で送信され、アクセス・モビリティ管理機能エンティティＡＭＦによって中継され、Ｎ２インターフェースを用いて伝送された測位リソース調整情報を受信する第２受信サブモジュールを含む。
【０１２０】
任意選択で、前記測位リソース調整装置は、
ネットワークノードから送信された測位リソース調整情報を受信した後に、ネットワークノードから送信された測位リソース更新情報を受信する第７受信モジュールと、
前記測位リソース更新情報に基づいて、対応する更新動作を構成して活性化させる第４処理モジュールとを更に含み、
ここで、前記測位リソース更新情報は、前記基地局の新規追加ターゲットセルの識別情報を含み、前記基地局の新規追加ターゲットセルの構成すべき測位専用リソース情報を持ち、又は、
前記測位リソース更新情報は、測位リソースを解放すべき前記基地局のターゲットセルの識別情報を含み、又は、
前記測位リソース更新情報は、測位リソースを変更すべき前記基地局のターゲットセルの識別情報を含み、測位リソースを変更すべき前記基地局のターゲットセルの更新すべき測位専用リソース情報を持ち、又は、
前記測位リソース更新情報は、測位リソースの活性化を所望する前記基地局の新規追加ターゲットセルの識別情報を含み、対応する予め構成された測位専用リソース情報の活性化を前記基地局に指示し、又は、
前記測位リソース更新情報は、測位リソースの変更を所望する前記基地局のターゲットセルの識別情報を含み、対応する予め構成された測位専用リソース情報の活性化を前記基地局に指示する。
【０１２１】
任意選択で、前記基地局の新規追加ターゲットセルの構成すべき測位専用リソース情報、及び／又は、測位リソースを変更すべき前記基地局のターゲットセルの更新すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０１２２】
任意選択で、前記測位リソース更新情報は、
自身の発効時間情報を更に含み、
前記第４処理モジュールは、
前記測位リソース更新情報に基づいて、対応する更新動作を構成して対応するタイミングに活性化させる第３処理サブモジュールを含む。
【０１２３】
任意選択で、前記発効時間情報は、
システムフレーム番号ＳＦＮの形式で示される。
【０１２４】
任意選択で、前記測位リソース調整装置は、
ネットワークノードから送信された測位リソース更新情報を受信した後に、ターゲットポイントの全部又は一部について構成が成功したことを示すメッセージである第２構成成功応答メッセージを、前記ネットワークノードにフィードバックする第３フィードバックモジュールを更に含む。
【０１２５】
任意選択で、前記測位リソース更新情報が、対応する予め構成された測位専用リソース情報の活性化を前記基地局に指示する場合、
前記第２構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０１２６】
任意選択で、前記第７受信モジュールは、
ネットワークノードからＬＰＰａのパケット形式で送信され、アクセス・モビリティ管理機能エンティティＡＭＦによって中継され、Ｎ２インターフェースを用いて伝送された測位リソース更新情報を受信する第３受信サブモジュールを含む。
【０１２７】
任意選択で、前記測位リソース調整装置は、
ネットワークノードから送信された測位リソース調整情報を受信した後に、前記ネットワークノードから送信された測位リソース解放情報を受信する第８受信モジュールと、
前記測位リソース解放情報に基づいて、対応する測位専用リソースを解放する第５処理モジュールと、
リソース解放成功メッセージを前記ネットワークノードにフィードバックする第４フィードバックモジュールとを更に含み、
ここで、前記測位リソース解放情報は、測位リソースの解放を所望する前記基地局のターゲットセットの識別情報を含み、
前記リソース解放成功メッセージは、ターゲットポイントの全部又は一部についてリソース解放が成功したことを示すメッセージである。
【０１２８】
任意選択で、前記第８受信モジュールは、
前記ネットワークノードからＬＰＰａのパケット形式で送信され、アクセス・モビリティ管理機能エンティティＡＭＦによって中継され、Ｎ２インターフェースを用いて伝送された測位リソース解放情報を受信する第４受信サブモジュールを含む。
【０１２９】
任意選択で、前記測位リソース調整装置は、
ネットワークノードから送信された測位リソース調整情報を受信した後に、無線リソース管理ＲＲＭニーズに応じて、ターゲットポイントの測位リソースの変更ニーズが存在する場合、測位リソース調整情報を前記ネットワークノードに送信する第５送信モジュールと、
前記ネットワークノードからフィードバックされた調整成功応答メッセージを受信する第９受信モジュールとを更に含み、
ここで、前記測位リソース調整情報は、測位リソースの更新を所望する前記基地局のターゲットセルの識別情報及び対応する推奨測位専用リソース情報を含み、又は、前記測位リソース調整情報は、測位リソースを解放すべき前記基地局のターゲットセルの識別情報を含み、
前記調整成功応答メッセージは、ターゲットポイントの全部又は一部について調整が成功したことを示すメッセージである。
【０１３０】
任意選択で、前記第５送信モジュールは、
前記測位リソース調整情報を、ＬＰＰａのパケット形式で、アクセス・モビリティ管理機能エンティティＡＭＦの中継によって前記ネットワークノードに伝送する第４送信サブモジュールを含む。
【０１３１】
任意選択で、前記推奨測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【発明の効果】
【０１３２】
上記方式において、前記測位リソース調整方法は、サービング端末に対する測位測定に先立って、前記サービング端末に関連する基地局に測位リソース調整情報を送信する。ここで、前記測位リソース調整情報は、基地局のターゲットセルの識別情報を含み、前記ターゲットセルの構成すべき測位専用リソース情報を持ち、又は、前記測位リソース調整情報は、測位リソースの活性化を所望する基地局のターゲットセルの識別情報を含み、予め構成された測位専用リソース情報の活性化を前記基地局に指示する。それによって、関連する５Ｇ測位ネットワーク又は測位管理機能の下層化に基づいて、マルチノードのネットワークリソースをより良好に調整することを保証し、冗長な測位リソースが他のネットワークエレメントに与える余分な信号干渉を低減し、端末測位トラフィックに対してより効率的で柔軟なサービスを提供することができる。
【図面の簡単な説明】
【０１３３】
【図１】関連技術に係る５Ｇ移動通信システムの模式図である。
【図２】関連技術に係る５Ｇ無線プロトコルアーキテクチャの模式図である。
【図３】関連技術に係る５Ｇ測位ネットワークアーキテクチャの模式図である。
【図４】本開示の実施例に係る測位リソース調整方法のフローチャートその１である。
【図５】本開示の実施例に係る測位リソース調整方法のフローチャートその２である。
【図６】本開示の実施例に係る測位リソース調整方法のフローチャートその３である。
【図７】本開示の実施例に係るネットワークノードの構造図である。
【図８】本開示の実施例に係る端末の構造図である。
【図９】本開示の実施例に係る基地局の構造図である。
【図１０】本開示の実施例に係る測位リソース調整装置の構造図その１である。
【図１１】本開示の実施例に係る測位リソース調整装置の構造図その２である。
【図１２】本開示の実施例に係る測位リソース調整装置の構造図その３である。
【発明を実施するための最良の形態】
【０１３４】
本開示の解決しようとする技術課題、技術手段及び利点をより明確にするために、以下、図面及び具体的な実施例を通じて詳細に記載する。
【０１３５】
本開示は、関連技術のネットワーク測位において冗長な測位リソースが他のネットワークエレメントに余分な信号干渉を与えるという問題に対し、ローカル測位管理機能エンティティ又は測位管理機能エンティティであるネットワークノードに応用される測位リソース調整方法を提供する。
図４に示すように、前記測位リソース調整方法は、
サービング端末に対する測位測定に先立って、前記サービング端末に関連する基地局に測位リソース調整情報を送信するステップ４１を含む。
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する。
【０１３６】
ここで、サービング端末に関連する基地局は、ネットワークノードに隣接する基地局を含む。
【０１３７】
本開示の実施例に係る前記測位リソース調整方法は、サービング端末に対する測位測定に先立って、前記サービング端末に関連する基地局に測位リソース調整情報を送信する。ここで、前記測位リソース調整情報は、基地局のターゲットセルの識別情報を含み、前記ターゲットセルの構成すべき測位専用リソース情報を持つ。又は、前記測位リソース調整情報は、測位リソースの活性化を所望する基地局のターゲットセルの識別情報を含み、予め構成された測位専用リソース情報の活性化を前記基地局に指示する。それによって、関連する５Ｇ測位ネットワーク又は測位管理機能の下層化に基づいてマルチノードのネットワークリソースをより良好に調整することを保証し、冗長な測位リソースが他のネットワークエレメントに与える余分な信号干渉を低減し、端末測位トラフィックに対してより効率的で柔軟なサービスを提供することができる。
【０１３８】
ここで、前記ターゲットセルの構成すべき測位専用リソース情報は、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０１３９】
更に、前記測位専用リソース情報は、自身の発効時間情報を更に含む。
【０１４０】
具体的に、前記発効時間情報は、システムフレーム番号ＳＦＮの形式で示される。
【０１４１】
更に、基地局に測位リソース調整情報を送信した後に、前記測位リソース調整方法は、前記基地局からフィードバックされた第１構成成功応答メッセージを受信することと、必要な測位リソースの最小構成セットの完了後に、対応する下り測位測定プロセスをトリガすることとを更に含む。ここで、前記第１構成成功応答メッセージは、ターゲットポイントの全部又は一部について構成が成功したことを示すメッセージである。
【０１４２】
ここで、前記測位リソース調整情報が、予め構成された測位専用リソース情報の活性化を前記基地局に指示する場合、前記第１構成成功応答メッセージは、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０１４３】
具体的に、前記の基地局に測位リソース調整情報を送信することは、前記測位リソース調整情報を、ＬＰＰａのパケット形式で、アクセス・モビリティ管理機能エンティティＡＭＦの中継により、Ｎ２インターフェースを用いて基地局に伝送することを含む。
【０１４４】
本開示の実施例において、基地局に測位リソース調整情報を送信した後に、前記測位リソース調整方法は、測位測定リソース又は測定信号源をサービング端末に対して更新する前に、測位リソース更新情報を基地局に送信することを更に含む。ここで、前記測位リソース更新情報は、前記基地局の新規追加ターゲットセルの識別情報を含み、前記基地局の新規追加ターゲットセルの構成すべき測位専用リソース情報を持つ。又は、前記測位リソース更新情報は、測位リソースを解放すべき前記基地局のターゲットセルの識別情報を含む。又は、前記測位リソース更新情報は、測位リソースを変更すべき前記基地局のターゲットセルの識別情報を含み、測位リソースを変更すべき前記基地局のターゲットセルの更新すべき測位専用リソース情報を持つ。又は、前記測位リソース更新情報は、測位リソースの活性化を所望する前記基地局の新規追加ターゲットセルの識別情報を含み、対応する予め構成された測位専用リソース情報の活性化を前記基地局に指示する。又は、前記測位リソース更新情報は、測位リソースの変更を所望する前記基地局のターゲットセルの識別情報を含み、対応する予め構成された測位専用リソース情報の活性化を前記基地局に指示する。前記基地局は、前記サービング端末に関連する基地局である。
【０１４５】
ここで、前記基地局の新規追加ターゲットセルの構成すべき測位専用リソース情報、及び／又は、測位リソースを変更すべき前記基地局のターゲットセルの更新すべき測位専用リソース情報は、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０１４６】
更に、前記測位リソース更新情報は、自身の発効時間情報を更に含む。
【０１４７】
具体的に、前記発効時間情報は、システムフレーム番号ＳＦＮの形式で示される。
【０１４８】
更に、基地局に測位リソース更新情報を送信した後に、前記測位リソース調整方法は、前記基地局からフィードバックされた第２構成成功応答メッセージを受信することと、必要な測位リソースの最小構成セットの完了後に、対応する下り測位測定プロセスをトリガすることとを更に含む。ここで、前記第２構成成功応答メッセージは、ターゲットポイントの全部又は一部について構成が成功したことを示すメッセージである。
【０１４９】
ここで、前記測位リソース更新情報が、対応する予め構成された測位専用リソース情報の活性化を前記基地局に指示する場合、前記第２構成成功応答メッセージは、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０１５０】
具体的に、前記の基地局に測位リソース更新情報を送信することは、前記測位リソース更新情報を、ＬＰＰａのパケット形式で、アクセス・モビリティ管理機能エンティティＡＭＦの中継により、Ｎ２インターフェースを用いて基地局に伝送することを含む。
【０１５１】
本開示の実施例において、基地局に測位リソース調整情報を送信した後に、前記測位リソース調整方法は、前記基地局に測位リソース解放情報を送信することと、前記基地局によってフィードバックされたリソース解放成功メッセージを受信することとを更に含む。ここで、前記測位リソース解放情報は、測位リソースの解放を所望する前記基地局のターゲットセットの識別情報を含む。前記リソース解放成功メッセージは、ターゲットポイントの全部又は一部についてリソース解放が成功したことを示すメッセージである。
【０１５２】
具体的に、Ｌｏｃａｌ  ＬＭＦ（又はＬＭＦ）は、測位サービスの完了後に、測位リソース解放情報を前記基地局に送信する。
【０１５３】
ここで、前記の基地局に測位リソース解放情報を送信することは、前記測位リソース解放情報を、ＬＰＰａのパケット形式で、アクセス・モビリティ管理機能エンティティＡＭＦの中継により、Ｎ２インターフェースを用いて基地局に伝送することを含む。
【０１５４】
本開示の実施例において、基地局に測位リソース調整情報を送信した後に、前記測位リソース調整方法は、前記基地局から送信された測位リソース調整情報を受信することと、測位のニーズに応じて、調整成功応答メッセージを前記基地局にフィードバックすることとを更に含む。ここで、前記測位リソース調整情報は、測位リソースの更新を所望する前記基地局のターゲットセルの識別情報及び対応する推奨測位専用リソース情報を含み、又は、前記測位リソース調整情報は、測位リソースを解放すべき前記基地局のターゲットセルの識別情報を含む。前記調整成功応答メッセージは、ターゲットポイントの全部又は一部について調整が成功したことを示すメッセージである。
【０１５５】
具体的に、前記の前記基地局から送信された測位リソース調整情報を受信することは、前記基地局からＬＰＰａのパケット形式で送信され、アクセス・モビリティ管理機能エンティティＡＭＦによって中継された測位リソース調整情報を受信することを含む。
【０１５６】
ここで、前記推奨測位専用リソース情報は、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０１５７】
本開示の実施例において、基地局に測位リソース調整情報を送信した後に、前記測位リソース調整方法は、変更が発生する測位リソース情報を利用して対応するピアレイヤーポジショニングプロトコルＬＰＰメッセージであって、更新された測位リソース構成情報及び／又は削除された測位リソース構成情報を持つＬＰＰメッセージを形成することと、前記ＬＰＰメッセージを測位ニーズのある端末に送信することとを更に含む。
【０１５８】
本開示の実施例は、端末に応用される測位リソース調整方法を更に提供し、図５に示すように、
更新された測位リソース構成情報及び／又は削除された測位リソース構成情報を持つＬＰＰメッセージを、ローカル測位管理機能エンティティ又は測位管理機能エンティティであるネットワークノードから受信するステップ５１と、
ＬＰＰメッセージに基づいて測位構成情報を変更するステップ５２とを含む。
【０１５９】
本開示の実施例に係る前記測位リソース調整方法は、更新された測位リソース構成情報及び／又は削除された測位リソース構成情報を持つＬＰＰメッセージを、ローカル測位管理機能エンティティ又は測位管理機能エンティティであるネットワークノードから受信し、ＬＰＰメッセージに基づいて測位構成情報を変更する。それによって、間違った測位信号を端末が測定することが避けられる。関連する５Ｇ測位ネットワーク又は測位管理機能の下層化に基づいてマルチノードのネットワークリソースをより良好に調整することをサポートし、冗長な測位リソースが他のネットワークエレメントに与える余分な信号干渉を低減し、端末測位トラフィックに対してより効率的で柔軟なサービスを提供する。
【０１６０】
具体的に、前記のＬＰＰメッセージに基づいて測位構成情報を変更することは、前記ＬＰＰメッセージの更新された測位リソース構成情報に基づいて、最新の測位構成情報を保存すること、及び／又は、前記ＬＰＰメッセージの削除された測位リソース構成情報に基づいて、対応する測位構成情報を除くことを含む。
【０１６１】
本開示の実施例は、基地局に応用される測位リソース調整方法を更に提供し、図６に示すように、
ローカル測位管理機能エンティティ又は測位管理機能エンティティであるネットワークノードから送信された測位リソース調整情報を受信するステップ６１と、
前記測位リソース調整情報に基づいて、対応する測位専用リソースを構成して活性化させるステップ６２とを含む。
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する。
【０１６２】
本開示の実施例に係る前記測位リソース調整方法は、ローカル測位管理機能エンティティ又は測位管理機能エンティティであるネットワークノードから送信された測位リソース調整情報を受信し、前記測位リソース調整情報に基づいて、対応する測位専用リソースを構成して活性化させる。ここで、前記測位リソース調整情報は、基地局のターゲットセルの識別情報を含み、前記ターゲットセルの構成すべき測位専用リソース情報を持つ。又は、前記測位リソース調整情報は、測位リソースの活性化を所望する基地局のターゲットセルの識別情報を含み、予め構成された測位専用リソース情報の活性化を前記基地局に指示する。それによって、関連する５Ｇ測位ネットワーク又は測位管理機能の下層化に基づいて、マルチノードのネットワークリソースをより良好に調整することを保証し、冗長な測位リソースが他のネットワークエレメントに与える余分な信号干渉を低減し、端末測位トラフィックに対してより効率的で柔軟なサービスを提供することができる。
【０１６３】
ここで、前記ターゲットセルの構成すべき測位専用リソース情報は、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０１６４】
更に、前記測位専用リソース情報は、自身の発効時間情報を更に含み、前記の前記測位リソース調整情報に基づいて、対応する測位専用リソースを構成して活性化させることは、前記測位リソース調整情報に基づいて、対応する測位専用リソースを構成して対応するタイミングに活性化させることを含む。
【０１６５】
具体的に、前記発効時間情報は、システムフレーム番号ＳＦＮの形式で示される。
【０１６６】
更に、前記測位リソース調整情報に基づいて、対応する測位専用リソースを構成して活性化した後に、前記測位リソース調整方法は、ターゲットポイントの全部又は一部について構成が成功したことを示すメッセージである第１構成成功応答メッセージを前記ネットワークノードにフィードバックすることを更に含む。
【０１６７】
ここで、前記測位リソース調整情報が、予め構成された測位専用リソース情報の活性化を前記基地局に指示する場合、前記第１構成成功応答メッセージは、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０１６８】
具体的に、前記のネットワークノードから送信された測位リソース調整情報を受信することは、ネットワークノードからＬＰＰａのパケット形式で送信され、アクセス・モビリティ管理機能エンティティＡＭＦによって中継され、Ｎ２インターフェースを用いて伝送された測位リソース調整情報を受信することを含む。
【０１６９】
本開示の実施例において、ネットワークノードから送信された測位リソース調整情報を受信した後に、前記測位リソース調整方法は、ネットワークノードから送信された測位リソース更新情報を受信することと、前記測位リソース更新情報に基づいて、対応する更新動作を構成して活性化させることとを更に含む。ここで、前記測位リソース更新情報は、前記基地局の新規追加ターゲットセルの識別情報を含み、前記基地局の新規追加ターゲットセルの構成すべき測位専用リソース情報を持つ。又は、前記測位リソース更新情報は、測位リソースを解放すべき前記基地局のターゲットセルの識別情報を含む。又は、前記測位リソース更新情報は、測位リソースを変更すべき前記基地局のターゲットセルの識別情報を含み、測位リソースを変更すべき前記基地局のターゲットセルの更新すべき測位専用リソース情報を持つ。又は、前記測位リソース更新情報は、測位リソースの活性化を所望する前記基地局の新規追加ターゲットセルの識別情報を含み、対応する予め構成された測位専用リソース情報の活性化を前記基地局に指示する。又は、前記測位リソース更新情報は、測位リソースの変更を所望する前記基地局のターゲットセルの識別情報を含み、対応する予め構成された測位専用リソース情報の活性化を前記基地局に指示する。
【０１７０】
ここで、前記基地局の新規追加ターゲットセルの構成すべき測位専用リソース情報、及び／又は、測位リソースを変更すべき前記基地局のターゲットセルの更新すべき測位専用リソース情報は、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０１７１】
更に、前記測位リソース更新情報は、自身の発効時間情報を更に含み、前記の前記測位リソース更新情報に基づいて、対応する更新動作を構成して活性化させることは、前記測位リソース更新情報に基づいて、対応する更新動作を構成して対応するタイミングに活性化させることを含む。
【０１７２】
具体的に、前記発効時間情報は、システムフレーム番号ＳＦＮの形式で示される。
【０１７３】
更に、ネットワークノードから送信された測位リソース更新情報を受信した後に、前記測位リソース調整方法は、ターゲットポイントの全部又は一部について構成が成功したことを示すメッセージである第２構成成功応答メッセージを、前記ネットワークノードにフィードバックすることを更に含む。
【０１７４】
ここで、前記測位リソース更新情報が、対応する予め構成された測位専用リソース情報の活性化を前記基地局に指示する場合、前記第２構成成功応答メッセージは、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０１７５】
具体的に、前記のネットワークノードから送信された測位リソース更新情報を受信することは、ネットワークノードからＬＰＰａのパケット形式で送信され、アクセス・モビリティ管理機能エンティティＡＭＦによって中継され、Ｎ２インターフェースを用いて伝送された測位リソース更新情報を受信することを含む。
【０１７６】
本開示の実施例において、ネットワークノードから送信された測位リソース調整情報を受信した後に、前記測位リソース調整方法は、前記ネットワークノードから送信された測位リソース解放情報を受信することと、前記測位リソース解放情報に基づいて、対応する測位専用リソースを解放することと、リソース解放成功メッセージを前記ネットワークノードにフィードバックすることとを更に含む。ここで、前記測位リソース解放情報は、測位リソースの解放を所望する前記基地局のターゲットセットの識別情報を含む。前記リソース解放成功メッセージは、ターゲットポイントの全部又は一部についてリソース解放が成功したことを示すメッセージである。
【０１７７】
ここで、前記の前記ネットワークノードから送信された測位リソース解放情報を受信することは、前記ネットワークノードからＬＰＰａのパケット形式で送信され、アクセス・モビリティ管理機能エンティティＡＭＦによって中継され、Ｎ２インターフェースを用いて伝送された測位リソース解放情報を受信することを含む。
【０１７８】
本開示の実施例において、ネットワークノードから送信された測位リソース調整情報を受信した後に、前記測位リソース調整方法は、無線リソース管理ＲＲＭニーズに応じて、ターゲットポイントの測位リソースの変更ニーズが存在する場合、測位リソース調整情報を前記ネットワークノードに送信することと、前記ネットワークノードからフィードバックされた調整成功応答メッセージを受信することとを更に含む。ここで、前記測位リソース調整情報は、測位リソースの更新を所望する前記基地局のターゲットセルの識別情報及び対応する推奨測位専用リソース情報を含み、又は、前記測位リソース調整情報は、測位リソースを解放すべき前記基地局のターゲットセルの識別情報を含む。前記調整成功応答メッセージは、ターゲットポイントの全部又は一部について調整が成功したことを示すメッセージである。
【０１７９】
具体的に、前記の前記ネットワークノードに測位リソース調整情報を送信することは、前記測位リソース調整情報を、ＬＰＰａのパケット形式で、アクセス・モビリティ管理機能エンティティＡＭＦの中継によって前記ネットワークノードに伝送することを含む。
【０１８０】
ここで、前記推奨測位専用リソース情報は、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０１８１】
以下、ネットワークノード、端末及び基地局の３つの側面から、本開示の実施例に係る前記測位リソース調整方法を更に説明する。
【０１８２】
上記の技術問題に対し、本開示の実施例は、測位リソース調整方法を提供し、５Ｇ測位ネットワークアーキテクチャにおける端末測位サービスに対しより効果的な管理機構を提供することで、関連する５Ｇ測位ネットワーク又は測位管理機能の下層化に基づいて、マルチノードのネットワークリソースをより良好に調整できることを保証し、端末測位トラフィックに対してより効率的で柔軟なサービスを提供する。
【０１８３】
本開示の実施例に係る方式は、具体的に実現する際に、ローカル測位管理機能エンティティ（Ｌｏｃａｌ  ＬＭＦ）がアクセスネットワーク内に位置してもよく、例えば５Ｇ基地局（ｇＮＢ）と局アドレスを共有する。ローカル測位管理機能、又は、関連する５Ｇネットワークアーキテクチャにおける測位管理機能エンティティ（ＬＭＦ）は、少なくとも以下のサブ機能−測位リソースの動的調整を含む。
Ｌｏｃａｌ  ＬＭＦ（又はＬＭＦ）は、サービングＵＥに対する測位測定が必要である場合、隣接又は関連する基地局との間の測位リソース調整が必要になる可能性があり、例えば、測位リソース調整情報をターゲット基地局に送信する。メッセージは、ターゲットセル（任意選択で、ターゲット伝送ポイントＴＰ（Ｔｒａｎｓｍｉｓｓｉｏｎ  Ｐｏｉｎｔ）、ターゲットｂｅａｍ（ビーム）等を含む）の構成すべき測位専用の測位パイロットシンボルＰＲＳ情報（例えば帯域幅、又はＰＲＳ  ｉｎｄｅｘ（ＰＲＳインデックス）等）を持ち、又は、予め構成された測位専用ＰＲＳの活性化を指示する。
逆に、測位測定の完了後に、Ｌｏｃａｌ  ＬＭＦ（又はＬＭＦ）は、関連する測位リソースの非活性化を隣接又は関連する基地局に通知し、例えば測位リソース調整情報をターゲット基地局に送信する。メッセージは、具体的なリソース（例えば、帯域幅、又はＰＲＳ  ｉｎｄｅｘ等）を明確に指定することが除外されずに、非活性化すべき測位信号のセル情報を持ち、又は、予め構成された測位専用ＰＲＳを非活性化させる。
【０１８４】
本開示の実施例に係る方式は、下り測位リソースの更新、解放、再調整及びＬＰＰ動的リソースの更新を更に含んでもよいが、ここで限定されない。
【０１８５】
具体的には、本開示の実施例に係る方式は、具体的に以下のいくつかのフローを含む。
【０１８６】
フロー１：下り測位リソースを構成するフロー１
ステップ１：Ｌｏｃａｌ  ＬＭＦ（又はＬＭＦ）は、サービングＵＥに対する測位測定を必要とする場合、隣接する基地局との間で測位リソース調整を行う必要があり、例えば、ターゲット基地局（ターゲット基地局は、Ｌｏｃａｌ  ＬＭＦ又はＬＭＦの予め構成された基地局、又は他の方式で選択されたＬｏｃａｌ  ＬＭＦ又はＬＭＦに隣接する基地局である）に測位リソース調整情報を送信する。該調整情報は、ターゲット基地局のターゲットセルを含み、任意選択で、ターゲットＴＰ又はターゲットｂｅａｍ、構成すべき測位専用リソース情報を更に含む。更に、これらの測位専用リソースは、ＰＲＳ（測位パイロットシンボル）の帯域幅、ＰＲＳインデックス（それぞれのリソースブロックに対応する）、ＣＰ長（サイクリックプレフィックス）、連続ＤＬ（ダウンリンク）サブフレーム数、ポート利用数などを含むが、これらに限定されず、任意選択で、測位専用リソースの発効時間情報（ＳＦＮ（システムフレーム番号）の形式で示される）などを含む。
ステップ２：ターゲット基地局は、この情報を受信すると、直ちに対応する測位専用リソースの構成を開始して活性化させ、任意選択で、メッセージで指定された時点に、対応する測位専用リソースを活性化させる。
ステップ３：その後、ターゲット基地局は、ＬＬＭＦ（又はＬＭＦ）に構成成功応答メッセージを返信し、任意選択で、一部ターゲットポイントの構成成功情報をターゲット基地局が返信することが許容される。
ステップ４：Ｌｏｃａｌ  ＬＭＦ（又はＬＭＦ）は、必要な測位リソースの最小構成セットの完了後に、対応する下り測位測定プロセスをトリガする。
ここで、コアネットワークのＬＭＦが下り測位リソースを構成する場合、その構成メッセージは、ＬＰＰａ（ＬＴＥ測位プロトコルＡ）のパケット形式で、ＡＭＦ中継により、Ｎ２インターフェースを用いてターゲット基地局に伝送される。
【０１８７】
フロー２：下り測位リソースを構成するフロー２
ステップ１：Ｌｏｃａｌ  ＬＭＦ（又はＬＭＦ）は、サービングＵＥに対する測位測定を必要とする場合、隣接する基地局との間で測位リソース調整を行う必要があり、例えば、ターゲット基地局（ターゲット基地局は、Ｌｏｃａｌ  ＬＭＦ又はＬＭＦの予め構成された基地局、又は他の方式で選択されたＬｏｃａｌ  ＬＭＦ又はＬＭＦに隣接する基地局である）に測位リソース調整情報を送信する。該調整情報は、測位リソースの活性化を所望するターゲット基地局のターゲットセルを含み、任意選択で、ターゲットＴＰ又はターゲットｂｅａｍをさらに含んでもよく、具体的な測位専用リソース情報は、予めターゲット基地局（例えば、ＯＡＭ（運用管理及び保守）などによって）に構成している。任意選択で、測位専用リソースの発効時間情報（ＳＦＮの形式で示される）などを含む。
ステップ２：ターゲット基地局は、この情報を受信すると、直ちに対応する測位専用リソースの構成を開始して活性化させ、任意選択で、メッセージで指定された時点に、対応する測位専用リソースを活性化させる。
ステップ３：その後、ターゲット基地局は、ＬＬＭＦ（又はＬＭＦ）に構成成功応答メッセージを返信する。メッセージは、対応する測位専用リソース情報を持ち、例えばＰＲＳ（測位パイロットシンボル）の帯域幅、ＰＲＳインデックス（それぞれのリソースブロックに対応する）、ＣＰ長、連続ＤＬサブフレーム数、ポート利用数などを含むが、これらに限定されない。任意選択で、一部ターゲットポイントの構成成功情報をターゲット基地局が返信することが許容される。
ステップ４：Ｌｏｃａｌ  ＬＭＦ（又はＬＭＦ）は、必要な測位リソースの最小構成セットの完了後に、対応する下り測位測定プロセスをトリガする。
ここで、コアネットワークのＬＭＦが下り測位リソースを構成する場合、その構成メッセージは、ＬＰＰａのパケット形式で、ＡＭＦ中継により、Ｎ２インターフェースを用いてターゲット基地局に伝送される。
【０１８８】
フロー３：下り測位リソースを更新するフロー１
ステップ１：Ｌｏｃａｌ  ＬＭＦ（又はＬＭＦ）は、測位測定リソース又は測定信号源の更新をサービングＵＥに対して行う必要がある場合、隣接する基地局との間で再び測位リソース調整を行う必要があり、例えば、ターゲット基地局（ターゲット基地局は、Ｌｏｃａｌ  ＬＭＦ又はＬＭＦの予め構成された基地局、又は他の方式で選択されたＬｏｃａｌ  ＬＭＦ又はＬＭＦに隣接する基地局である）に測位リソース更新情報を送信する。該更新情報は、ターゲット基地局の新規追加ターゲットセルを含み、任意選択で、ターゲットＴＰ又はターゲットｂｅａｍ、及び構成すべき測位専用リソース情報を更に含む。更に、これらの測位専用リソースは、ＰＲＳ（測位パイロットシンボル）の帯域幅、ＰＲＳインデックス（それぞれのリソースブロックに対応する）、ＣＰ長、連続ＤＬサブフレーム数、ポート利用数などを含むが、これらに限定されず、任意選択で、新規の測位専用リソースの発効時間情報（ＳＦＮの形式で示される）などを含む。
また、任意選択で、該更新情報は、測位リソースを解放すべきターゲット基地局のターゲットセルを含み、任意選択で、ターゲットＴＰ、又はターゲットｂｅａｍを更に含む。
任意選択で、該更新情報は、測位リソースを更新すべきターゲット基地局のターゲットセルを含み、任意選択で、ターゲットＴＰ又はターゲットｂｅａｍ、及び更新すべき測位専用リソース情報を更に含む。更に、これらの測位専用リソースは、更新されたＰＲＳ（測位パイロットシンボル）の帯域幅、ＰＲＳインデックス（それぞれのリソースブロックに対応する）、ＣＰ長、連続ＤＬサブフレーム数、ポート利用数などを含むが、これらに限定されず、任意選択で、新規の測位専用リソースの発効時間情報（ＳＦＮの形式で示される）などを含む。
ステップ２：ターゲット基地局は、この情報を受信すると、直ちに対応する更新動作の構成を開始して活性化させ、任意選択で、メッセージで指定された時点に、対応する測位専用リソースの更新を開始する。
ステップ３：その後、ターゲット基地局は、ＬＬＭＦ（又はＬＭＦ）に構成成功応答メッセージを返信し、任意選択で、一部ターゲットポイントの構成成功情報をターゲット基地局が返信することが許容される。
ステップ４：Ｌｏｃａｌ  ＬＭＦ（又はＬＭＦ）は、必要な測位リソースの最小構成セットの完了後に、対応する下り測位測定プロセスをトリガする。
ここで、コアネットワークのＬＭＦが下り測位リソースを更新する場合、その更新メッセージは、ＬＰＰａのパケット形式で、ＡＭＦ中継により、Ｎ２インターフェースを用いてターゲット基地局に伝送される。
【０１８９】
フロー４：下り測位リソースを更新するフロー２
ステップ１：Ｌｏｃａｌ  ＬＭＦ（又はＬＭＦ）は、測位測定リソース又は測定信号源をサービングＵＥに対して更新する必要がある場合、隣接する基地局との間で測位リソース調整を再び行う必要があり、例えば、ターゲット基地局（ターゲット基地局は、Ｌｏｃａｌ  ＬＭＦ又はＬＭＦの予め構成された基地局、又は他の方式で選択されたＬｏｃａｌ  ＬＭＦ又はＬＭＦに隣接する基地局である）に測位リソース更新情報を送信する。該更新情報は、測位リソースの活性化を所望するターゲット基地局の新規追加ターゲットセルを含み、任意選択で、ターゲットＴＰ又はターゲットｂｅａｍをさらに含んでもよく、具体的な測位専用リソース情報は、予めターゲット基地局（例えば、ＯＡＭなどによって）に構成している。任意選択で、新規の測位専用リソースの発効時間情報（ＳＦＮの形式で示される）などを含む。
また、任意選択で、該更新情報は、測位リソースを解放すべきターゲット基地局のターゲットセルを含み、任意選択で、ターゲットＴＰ又はターゲットｂｅａｍを含む。
任意選択で、該更新情報は、測位リソースの変更を所望するターゲット基地局のターゲットセルを含み、任意選択で、ターゲットＴＰ又はターゲットｂｅａｍをさらに含んでもよく、具体的な測位専用リソース情報は、予めターゲット基地局（例えば、ＯＡＭなどによって）に構成している。任意選択で、新規の測位専用リソースの発効時間情報（ＳＦＮの形式で示される）などを含む。
ステップ２：ターゲット基地局は、この情報を受信すると、直ちに対応する更新動作の構成を開始して活性化させ、任意選択で、メッセージで指定された時点に、対応する測位専用リソースの更新を開始する。
ステップ３：その後、ターゲット基地局は、ＬＬＭＦ（又はＬＭＦ）に構成成功応答メッセージを返信する。メッセージは、新規に活性化した測位専用リソース情報を持ち、例えばＰＲＳ（測位パイロットシンボル）の帯域幅、ＰＲＳインデックス（それぞれのリソースブロックに対応する）、ＣＰ長、連続ＤＬサブフレーム数、ポート利用数などを含むが、これらに限定されない。任意選択で、一部ターゲットポイントの構成成功情報をターゲット基地局が返信することが許容される。
ステップ４：Ｌｏｃａｌ  ＬＭＦ（又はＬＭＦ）は、必要な測位リソースの最小構成セットの完了後に、対応する下り測位測定プロセスをトリガする。
ここで、コアネットワークのＬＭＦが下り測位リソースを更新する場合、その更新メッセージは、ＬＰＰａのパケット形式で、ＡＭＦ中継により、Ｎ２インターフェースを用いてターゲット基地局に伝送される。
【０１９０】
フロー５：下り測位リソースを解放するフロー
ステップ１：Ｌｏｃａｌ  ＬＭＦ（又はＬＭＦ）は、測位測定リソース又は測定信号源を解放する必要がある場合、隣接する基地局との間で情報のやり取りを行う必要があり、例えば、ターゲット基地局（ターゲット基地局は、Ｌｏｃａｌ  ＬＭＦ又はＬＭＦの予め構成された基地局、又は他の方式で選択されたＬｏｃａｌ  ＬＭＦ又はＬＭＦに隣接する基地局である）に測位リソース解放情報を送信する。該解放情報は、測位リソースの解放を所望するターゲット基地局のターゲットセルを含み、任意選択で、ターゲットＴＰ又はターゲットｂｅａｍを含む。
ステップ２：ターゲット基地局は、この情報を受信すると、直ちに対応する測位リソースの解放を開始する。
ステップ３：その後、ターゲット基地局は、ＬＬＭＦ（又はＬＭＦ）に解放成功応答メッセージを返信し、任意選択で、一部ターゲットポイントのリソース解放成功情報をターゲット基地局が返信することが許容される。
ここで、コアネットワークのＬＭＦが下り測位リソースを解放する場合、その解放メッセージは、ＬＰＰａのパケット形式で、ＡＭＦ中継により、Ｎ２インターフェースを用いてターゲット基地局に伝送される。
【０１９１】
フロー６（フロー１〜４のいずれかに続いて実行される）：下り測位リソースの再調整フロー
ステップ１：測位リソースが構成された隣接基地局（Ｌｏｃａｌ  ＬＭＦ又はＬＭＦに隣接する基地局）は、ＲＲＭ（無線リソース管理）ニーズに応じて、ターゲットポイントの測位リソースの変更を必要とする場合、ＬＬＭＦ（又はＬＭＦ）との間で測位リソース調整を行う必要があり、例えば測位リソース調整情報をＬＬＭＦ（又はＬＭＦ）に送信する。該調整情報は、測位リソースの更新を所望する隣接基地局のターゲットセルを含み、任意選択で、ターゲットＴＰ又はターゲットｂｅａｍ、及び推薦測位専用リソース情報を更に含む。更に、これらの測位専用リソースは、ＰＲＳ（測位パイロットシンボル）の帯域幅、ＰＲＳインデックス（それぞれのリソースブロックに対応する）、ＣＰ長、連続ＤＬサブフレーム数、ポート利用数などを含むが、これらに限定されない。
また、任意選択で、該調整情報は、測位リソースを解放すべきターゲット基地局のターゲットセルを更に含み、任意選択で、ターゲットＴＰ又はターゲットｂｅａｍを更に含む。
ステップ２：ＬＬＭＦ（又はＬＭＦ）は、この情報を受信すると、測位ニーズと組み合わせて、調整成功応答メッセージを返信する。任意選択で、一部ターゲットポイントの測位リソース更新情報をＬＬＭＦ（又はＬＭＦ）が拒絶することが許容される。
ステップ３：リソース再調整を開始した基地局は、応答メッセージを受信すると、応答成功のターゲットポイントに対して、対応する更新動作を活性化させる。任意選択で、拒絶されたターゲットポイントについて、それに対応する測位リソースを解放する。
ここで、隣接基地局がコアネットワークのＬＭＦと下り測位リソースの調整を所望する場合、その調整情報は、ＬＰＰａのパケット形式で、ＡＭＦ中継により、コアネットワークのＬＭＦエンティティに伝送される。
【０１９２】
フロー７：ＬＰＰ（ＬＰＰは、端末と測位サーバとの間のピアレイヤ測位プロトコルである）動的リソース更新のフロー
ステップ１：ＬＬＭＦ（又はＬＭＦ）は、参照セル又は隣接セルの測位リソース（ＰＲＳ（測位パイロットシンボル）の帯域幅、ＰＲＳインデックス（それぞれのリソースブロックに対応する）、ＣＰ長、連続するＤＬサブフレーム数、ポート利用数などが含まれるが、これらに限定されない）を変更（更新）することを決定する場合、対応するＬＰＰメッセージ（例えば、ＯＴＤＯＡ（到着時間差測位法）支援情報）を形成し、メッセージには、更新された測位リソース構成情報及び／又は削除された測位リソース構成情報を持つ。
ステップ２：ＬＬＭＦ（又はＬＭＦ）は、対応するＬＰＰメッセージを、測位ニーズのあるＵＥに、無線インターフェースを介して送信する。
ステップ３：ＵＥは、該ＬＰＰメッセージを受信すると、更新された測位リソース構成情報に対して、最新の測位構成情報を保存し、削除された測位リソース構成情報に対して、対応する測位構成情報を除く。それによって、間違った測位信号をＵＥが測定することが避けられる。
即ち、測位リソースが変更されると、変更情報をＬｏｃａｌ  ＬＭＦ（又はＬＭＦ）がＬＰＰプロトコルを介してＵＥに送信することが許容される。情報には、少なくとも、更新された測位リソース構成情報、及び／又は、削除された測位リソース構成情報が含まれる。
【０１９３】
以上のことから、本開示は、測位リソース調整方法（測位リソースの動的調整方法）を提供することによって、関連する５Ｇ測位ネットワーク又は測位管理機能の下層化に基づいて、マルチノードのネットワークリソースをより良好に調整できることを保証し、冗長な測位リソースが他のネットワークエレメントに与える余分な信号干渉を低減し、端末測位トラフィックに対してより効率的で柔軟なサービスを提供する。
【０１９４】
本開示の実施例は、ネットワークノードを更に提供する。前記ネットワークノードは、ローカル測位管理機能エンティティ又は測位管理機能エンティティであり、メモリと、プロセッサと、トランシーバと、前記メモリに格納されて前記プロセッサで実行可能なコンピュータプログラムを含む。
前記プロセッサが前記プログラムを実行すると、
サービング端末に対する測位測定に先立って、前記サービング端末に関連する基地局に測位リソース調整情報を前記トランシーバを利用して送信するステップが実現される。
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する。
【０１９５】
本開示の実施例に係る前記測位リソース調整方法は、サービング端末に対する測位測定に先立って、前記サービング端末に関連する基地局に測位リソース調整情報を送信する。ここで、前記測位リソース調整情報は、基地局のターゲットセルの識別情報を含み、前記ターゲットセルの構成すべき測位専用リソース情報を持つ。又は、前記測位リソース調整情報は、測位リソースの活性化を所望する基地局のターゲットセルの識別情報を含み、予め構成された測位専用リソース情報の活性化を前記基地局に指示する。それによって、関連する５Ｇ測位ネットワーク又は測位管理機能の下層化に基づいて、マルチノードのネットワークリソースをより良好に調整することを保証し、冗長な測位リソースが他のネットワークエレメントに与える余分な信号干渉を低減し、端末測位トラフィックに対してより効率的で柔軟なサービスを提供することができる。
【０１９６】
具体的に、図７に示すように、本開示の実施例に係るネットワークノードは、プロセッサ７１と、バスインターフェース７２を介して前記プロセッサ７１に接続されたメモリ７３を含む。
前記メモリ７３は、前記プロセッサ７１による操作実行に使用されるプログラム及びデータを記憶する。
プロセッサは、前記メモリ７３に格納されているプログラム及びデータを呼び出して実行すると、サービング端末に対する測位測定に先立って、前記サービング端末に関連する基地局に測位リソース調整情報を前記トランシーバ７４を利用して送信するプロセスを実行する。
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する。
【０１９７】
ここで、トランシーバ７４は、バスインターフェース７２に接続され、プロセッサ７１による制御でデータを送受信する。
【０１９８】
なお、図７において、バスアーキテクチャは、任意数の相互接続するバスとブリッジを含み、具体的に、プロセッサ７１をはじめとする１つ又は複数のプロセッサとメモリ７３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインターフェースにより、インターフェースが提供される。トランシーバ７４は、複数の部品であってもよく、即ち送信機と受信機を含み、伝送媒体でほかの各種類の装置と通信するユニットとして提供される。プロセッサ７１は、バスアーキテクチャと通常の処理を管理する。メモリ７３は、プロセッサ７１による操作実行に使用されるデータを記憶できる。
【０１９９】
当業者にとって、上記実施例を実現する全て又は一部のステップは、ハードウェアによって完成されてもよく、コンピュータプログラムで関連ハードウェアを指示して完成されてもよい。前記コンピュータプログラムは、上記方法の一部又はすべてのステップを実行するコマンドを含み、且つ該コンピュータプログラムは、読み取り可能な記憶媒体に格納される。記憶媒体は、あらゆる形態の記憶媒体であってもよい。
【０２００】
ここで、前記ターゲットセルの構成すべき測位専用リソース情報は、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０２０１】
更に、前記測位専用リソース情報は、自身の発効時間情報を更に含む。
【０２０２】
具体的に、前記発効時間情報は、システムフレーム番号ＳＦＮの形式で示される。
【０２０３】
更に、前記プロセッサは、更に、基地局に測位リソース調整情報を送信した後に、前記基地局からフィードバックされた第１構成成功応答メッセージを前記トランシーバを利用して受信し、必要な測位リソースの最小構成セットの完了後に、対応する下り測位測定プロセスをトリガする。ここで、前記第１構成成功応答メッセージは、ターゲットポイントの全部又は一部について構成が成功したことを示すメッセージである。
【０２０４】
ここで、前記測位リソース調整情報が、予め構成された測位専用リソース情報の活性化を前記基地局に指示する場合、前記第１構成成功応答メッセージは、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０２０５】
具体的に、前記プロセッサは、具体的に、前記トランシーバを利用して前記測位リソース調整情報を、ＬＰＰａのパケット形式で、アクセス・モビリティ管理機能エンティティＡＭＦの中継により、Ｎ２インターフェースを用いて基地局に伝送する。
【０２０６】
本開示の実施例において、前記プロセッサは、更に、基地局に測位リソース調整情報を送信した後に、測位測定リソース又は測定信号源をサービング端末に対して更新する前に、測位リソース更新情報を前記トランシーバを利用して基地局に送信する。ここで、前記測位リソース更新情報は、前記基地局の新規追加ターゲットセルの識別情報を含み、前記基地局の新規追加ターゲットセルの構成すべき測位専用リソース情報を持つ。又は、前記測位リソース更新情報は、測位リソースを解放すべき前記基地局のターゲットセルの識別情報を含む。又は、前記測位リソース更新情報は、測位リソースを変更すべき前記基地局のターゲットセルの識別情報を含み、測位リソースを変更すべき前記基地局のターゲットセルの更新すべき測位専用リソース情報を持つ。又は、前記測位リソース更新情報は、測位リソースの活性化を所望する前記基地局の新規追加ターゲットセルの識別情報を含み、対応する予め構成された測位専用リソース情報の活性化を前記基地局に指示する。又は、前記測位リソース更新情報は、測位リソースの変更を所望する前記基地局のターゲットセルの識別情報を含み、対応する予め構成された測位専用リソース情報の活性化を前記基地局に指示する。前記基地局は、前記サービング端末に関連する基地局である。
【０２０７】
ここで、前記基地局の新規追加ターゲットセルの構成すべき測位専用リソース情報、及び／又は、測位リソースを変更すべき前記基地局のターゲットセルの更新すべき測位専用リソース情報は、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０２０８】
更に、前記測位リソース更新情報は、自身の発効時間情報を更に含む。
【０２０９】
具体的に、前記発効時間情報は、システムフレーム番号ＳＦＮの形式で示される。
【０２１０】
更に、前記プロセッサは、更に、基地局に測位リソース更新情報を送信した後に、前記基地局からフィードバックされた第２構成成功応答メッセージを前記トランシーバを利用して受信し、必要な測位リソースの最小構成セットの完了後に、対応する下り測位測定プロセスをトリガする。ここで、前記第２構成成功応答メッセージは、ターゲットポイントの全部又は一部について構成が成功したことを示すメッセージである。
【０２１１】
ここで、前記測位リソース更新情報が、対応する予め構成された測位専用リソース情報の活性化を前記基地局に指示する場合、前記第２構成成功応答メッセージは、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０２１２】
具体的に、前記プロセッサは、具体的に、前記トランシーバを利用して前記測位リソース更新情報を、ＬＰＰａのパケット形式で、アクセス・モビリティ管理機能エンティティＡＭＦの中継により、Ｎ２インターフェースを用いて基地局に伝送する。
【０２１３】
本開示の実施例において、前記プロセッサは、更に、基地局に測位リソース調整情報を送信した後に、前記基地局に測位リソース解放情報を前記トランシーバを利用して送信し、前記基地局によってフィードバックされたリソース解放成功メッセージを受信する。ここで、前記測位リソース解放情報は、測位リソースの解放を所望する前記基地局のターゲットセットの識別情報を含む。前記リソース解放成功メッセージは、ターゲットポイントの全部又は一部についてリソース解放が成功したことを示すメッセージである。
【０２１４】
ここで、前記プロセッサは、具体的に、前記トランシーバを利用して前記測位リソース解放情報を、ＬＰＰａのパケット形式で、アクセス・モビリティ管理機能エンティティＡＭＦの中継により、Ｎ２インターフェースを用いて基地局に伝送する。
【０２１５】
本開示の実施例において、前記プロセッサは、更に、基地局に測位リソース調整情報を送信した後に、前記基地局から送信された測位リソース調整情報を前記トランシーバを利用して受信し、測位のニーズに応じて、前記トランシーバを利用して調整成功応答メッセージを前記基地局にフィードバックする。ここで、前記測位リソース調整情報は、測位リソースの更新を所望する前記基地局のターゲットセルの識別情報及び対応する推奨測位専用リソース情報を含み、又は、前記測位リソース調整情報は、測位リソースを解放すべき前記基地局のターゲットセルの識別情報を含む。前記調整成功応答メッセージは、ターゲットポイントの全部又は一部について調整が成功したことを示すメッセージである。
【０２１６】
具体的に、前記プロセッサは、具体的に、前記基地局からＬＰＰａのパケット形式で送信され、アクセス・モビリティ管理機能エンティティＡＭＦによって中継された測位リソース調整情報を前記トランシーバを利用して受信する。
【０２１７】
ここで、前記推奨測位専用リソース情報は、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０２１８】
本開示の実施例において、前記プロセッサは、更に、基地局に測位リソース調整情報を送信した後に、変更が発生する測位リソース情報を利用して対応するＬＰＰメッセージであって、更新された測位リソース構成情報及び／又は削除された測位リソース構成情報を持つＬＰＰメッセージを形成し、前記トランシーバを利用して前記ＬＰＰメッセージを測位ニーズのある端末に送信する。
【０２１９】
ここで、上記ネットワークノード側の測位リソース調整方法の前記実現実施例は、いずれも該ネットワークノードの実施例に適用し、同じ技術効果を奏することもできる。
【０２２０】
本開示の実施例は、端末を更に提供する。前記端末は、メモリと、プロセッサと、トランシーバと、前記メモリに格納されて前記プロセッサで実行可能なコンピュータプログラムを含む。
前記プロセッサが前記プログラムを実行すると、
更新された測位リソース構成情報及び／又は削除された測位リソース構成情報を持つＬＰＰメッセージを、ローカル測位管理機能エンティティ又は測位管理機能エンティティであるネットワークノードから前記トランシーバを利用して受信するステップと、
ＬＰＰメッセージに基づいて測位構成情報を変更するステップとが実現される。
【０２２１】
本開示の実施例に係る前記測位リソース調整方法は、更新された測位リソース構成情報及び／又は削除された測位リソース構成情報を持つＬＰＰメッセージを、ローカル測位管理機能エンティティ又は測位管理機能エンティティであるネットワークノードから受信し、ＬＰＰメッセージに基づいて測位構成情報を変更する。それによって、間違った測位信号を端末が測定することが避けられる。関連する５Ｇ測位ネットワーク又は測位管理機能の下層化に基づいてマルチノードのネットワークリソースをより良好に調整することをサポートし、冗長な測位リソースが他のネットワークエレメントに与える余分な信号干渉を低減し、端末測位トラフィックに対してより効率的で柔軟なサービスを提供する。
【０２２２】
具体的に、図８に示すように、本開示の実施例に係る端末は、プロセッサ８１と、バスインターフェース８２を介して前記プロセッサ８１に接続されたメモリ８３を含む。
前記メモリ８３は、前記プロセッサ８１による操作実行に使用されるプログラム及びデータを記憶する。
プロセッサ８１は、前記メモリ８３に格納されているプログラム及びデータを呼び出して実行すると、
更新された測位リソース構成情報及び／又は削除された測位リソース構成情報を持つＬＰＰメッセージを、ローカル測位管理機能エンティティ又は測位管理機能エンティティであるネットワークノードから前記トランシーバ８４を利用して受信するプロセスと、
ＬＰＰメッセージに基づいて測位構成情報を変更するプロセスとを実行する。
【０２２３】
ここで、トランシーバ８４は、バスインターフェース８２に接続され、プロセッサ８１による制御でデータを送受信する。
【０２２４】
なお、図８において、バスアーキテクチャは、任意数の相互接続するバスとブリッジを含み、具体的に、プロセッサ８１をはじめとする１つ又は複数のプロセッサとメモリ８３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインターフェースにより、インターフェースが提供される。トランシーバ８４は、複数の部品であってもよく、即ち送信機と受信機を含み、伝送媒体でほかの各種類の装置と通信するユニットとして提供される。ユーザ端末によっては、ユーザインターフェース８５は、内部接続や外部接続する機器のインターフェースであってもよい。接続する機器は、キーパッド、ディスプレイ、スピーカ、マイクロフォン、ジョイスティックなどを含むが、それらに限られない。プロセッサ８１は、バスアーキテクチャと通常の処理を管理する。メモリ８３は、プロセッサ８１による操作実行に使用されるデータを記憶できる。
【０２２５】
当業者にとって、上記実施例を実現する全て又は一部のステップは、ハードウェアによって完成されてもよく、コンピュータプログラムで関連ハードウェアを指示して完成されてもよい。前記コンピュータプログラムは、上記方法の一部又はすべてのステップを実行するコマンドを含み、且つ該コンピュータプログラムは、読み取り可能な記憶媒体に格納される。記憶媒体は、あらゆる形態の記憶媒体であってもよい。
【０２２６】
具体的に、前記プロセッサは、具体的に、前記ＬＰＰメッセージの更新された測位リソース構成情報に基づいて、最新の測位構成情報を保存し、及び／又は、前記ＬＰＰメッセージの削除された測位リソース構成情報に基づいて、対応する測位構成情報を除く。
【０２２７】
ここで、上記端末側の測位リソース調整方法の前記実現実施例は、いずれも該端末の実施例に適用し、同じ技術効果を奏することもできる。
【０２２８】
本開示の実施例は、基地局を更に提供する。
前記基地局は、メモリと、プロセッサと、トランシーバと、前記メモリに格納されて前記プロセッサで実行可能なコンピュータプログラムを含む。
前記プロセッサが前記プログラムを実行すると、
ローカル測位管理機能エンティティ又は測位管理機能エンティティであるネットワークノードから送信された測位リソース調整情報を前記トランシーバを利用して受信するステップと、
前記測位リソース調整情報に基づいて、対応する測位専用リソースを構成して活性化させるステップとが実現される。
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する。
【０２２９】
本開示の実施例に係る前記測位リソース調整方法は、ローカル測位管理機能エンティティ又は測位管理機能エンティティであるネットワークノードから送信された測位リソース調整情報を前記トランシーバを利用して受信し、前記測位リソース調整情報に基づいて、対応する測位専用リソースを構成して活性化させる。ここで、前記測位リソース調整情報は、基地局のターゲットセルの識別情報を含み、前記ターゲットセルの構成すべき測位専用リソース情報を持つ。又は、前記測位リソース調整情報は、測位リソースの活性化を所望する基地局のターゲットセルの識別情報を含み、予め構成された測位専用リソース情報の活性化を前記基地局に指示する。それによって、関連する５Ｇ測位ネットワーク又は測位管理機能の下層化に基づいて、マルチノードのネットワークリソースをより良好に調整することを保証し、冗長な測位リソースが他のネットワークエレメントに与える余分な信号干渉を低減し、端末測位トラフィックに対してより効率的で柔軟なサービスを提供することができる。
【０２３０】
具体的に、図９に示すように、本開示の実施例に係る基地局は、プロセッサ９１と、バスインターフェース９２を介して前記プロセッサ９１に接続されたメモリ９３を含む。
前記メモリ９３は、前記プロセッサ９１による操作実行に使用されるプログラム及びデータを記憶する。
プロセッサ９１は、前記メモリ９３に格納されているプログラム及びデータを呼び出して実行すると、
ローカル測位管理機能エンティティ又は測位管理機能エンティティであるネットワークノードから送信された測位リソース調整情報を前記トランシーバ９４を利用して受信するプロセスと、
前記測位リソース調整情報に基づいて、対応する測位専用リソースを構成して活性化させるプロセスとを実行する。
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する。
【０２３１】
ここで、トランシーバ９４は、バスインターフェース９２に接続され、プロセッサ９１による制御でデータを送受信する。
【０２３２】
なお、図９において、バスアーキテクチャは、任意数の相互接続するバスとブリッジを含み、具体的に、プロセッサ９１をはじめとする１つ又は複数のプロセッサとメモリ９３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインターフェースにより、インターフェースが提供される。トランシーバ９４は、複数の部品であってもよく、即ち送信機と受信機を含み、伝送媒体でほかの各種類の装置と通信するユニットとして提供される。プロセッサ９１は、バスアーキテクチャと通常の処理を管理する。メモリ９３は、プロセッサ９１による操作実行に使用されるデータを記憶できる。
【０２３３】
当業者にとって、上記実施例を実現する全て又は一部のステップは、ハードウェアによって完成されてもよく、コンピュータプログラムで関連ハードウェアを指示して完成されてもよい。前記コンピュータプログラムは、上記方法の一部又はすべてのステップを実行するコマンドを含み、且つ該コンピュータプログラムは、読み取り可能な記憶媒体に格納される。記憶媒体は、あらゆる形態の記憶媒体であってもよい。
【０２３４】
ここで、前記ターゲットセルの構成すべき測位専用リソース情報は、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０２３５】
更に、前記測位専用リソース情報は、自身の発効時間情報を更に含み、前記プロセッサは、具体的に、前記測位リソース調整情報に基づいて、対応する測位専用リソースを構成して対応するタイミングに活性化させる。
【０２３６】
具体的に、前記発効時間情報は、システムフレーム番号ＳＦＮの形式で示される。
【０２３７】
更に、前記プロセッサは、更に、前記測位リソース調整情報に基づいて、対応する測位専用リソースを構成して活性化した後に、ターゲットポイントの全部又は一部について構成が成功したことを示すメッセージである第１構成成功応答メッセージを前記ネットワークノードに前記トランシーバを利用してフィードバックする。
【０２３８】
ここで、前記測位リソース調整情報が、予め構成された測位専用リソース情報の活性化を前記基地局に指示する場合、前記第１構成成功応答メッセージは、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０２３９】
具体的に、前記プロセッサは、具体的に、ネットワークノードからＬＰＰａのパケット形式で送信され、アクセス・モビリティ管理機能エンティティＡＭＦによって中継され、Ｎ２インターフェースを用いて伝送された測位リソース調整情報を前記トランシーバを利用して受信する。
【０２４０】
本開示の実施例において、前記プロセッサは、更に、ネットワークノードから送信された測位リソース調整情報を受信した後に、ネットワークノードから送信された測位リソース更新情報を前記トランシーバを利用して受信し、前記測位リソース更新情報に基づいて、対応する更新動作を構成して活性化させる。ここで、前記測位リソース更新情報は、前記基地局の新規追加ターゲットセルの識別情報を含み、前記基地局の新規追加ターゲットセルの構成すべき測位専用リソース情報を持つ。又は、前記測位リソース更新情報は、測位リソースを解放すべき前記基地局のターゲットセルの識別情報を含む。又は、前記測位リソース更新情報は、測位リソースを変更すべき前記基地局のターゲットセルの識別情報を含み、測位リソースを変更すべき前記基地局のターゲットセルの更新すべき測位専用リソース情報を持つ。又は、前記測位リソース更新情報は、測位リソースの活性化を所望する前記基地局の新規追加ターゲットセルの識別情報を含み、対応する予め構成された測位専用リソース情報の活性化を前記基地局に指示する。又は、前記測位リソース更新情報は、測位リソースの変更を所望する前記基地局のターゲットセルの識別情報を含み、対応する予め構成された測位専用リソース情報の活性化を前記基地局に指示する。
【０２４１】
ここで、前記基地局の新規追加ターゲットセルの構成すべき測位専用リソース情報、及び／又は、測位リソースを変更すべき前記基地局のターゲットセルの更新すべき測位専用リソース情報は、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０２４２】
更に、前記測位リソース更新情報は、自身の発効時間情報を更に含み、前記プロセッサは、具体的に、前記測位リソース更新情報に基づいて、対応する更新動作を構成して対応するタイミングに活性化させる。
【０２４３】
具体的に、前記発効時間情報は、システムフレーム番号ＳＦＮの形式で示される。
【０２４４】
更に、前記プロセッサは、更に、ネットワークノードから送信された測位リソース更新情報を受信した後に、ターゲットポイントの全部又は一部について構成が成功したことを示すメッセージである第２構成成功応答メッセージを、前記トランシーバを利用して前記ネットワークノードにフィードバックする。
【０２４５】
ここで、前記測位リソース更新情報が、対応する予め構成された測位専用リソース情報の活性化を前記基地局に指示する場合、前記第２構成成功応答メッセージは、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０２４６】
具体的に、前記プロセッサは、具体的に、ネットワークノードからＬＰＰａのパケット形式で送信され、アクセス・モビリティ管理機能エンティティＡＭＦによって中継され、Ｎ２インターフェースを用いて伝送された測位リソース更新情報を前記トランシーバを利用して受信する。
【０２４７】
本開示の実施例において、前記プロセッサは、更に、ネットワークノードから送信された測位リソース調整情報を受信した後に、前記ネットワークノードから送信された測位リソース解放情報を前記トランシーバを利用して受信し、前記測位リソース解放情報に基づいて、対応する測位専用リソースを解放し、リソース解放成功メッセージを前記トランシーバを利用して前記ネットワークノードにフィードバックする。ここで、前記測位リソース解放情報は、測位リソースの解放を所望する前記基地局のターゲットセットの識別情報を含む。前記リソース解放成功メッセージは、ターゲットポイントの全部又は一部についてリソース解放が成功したことを示すメッセージである。
【０２４８】
ここで、前記プロセッサは、具体的に、前記ネットワークノードからＬＰＰａのパケット形式で送信され、アクセス・モビリティ管理機能エンティティＡＭＦによって中継され、Ｎ２インターフェースを用いて伝送された測位リソース解放情報を前記トランシーバを利用して受信する。
【０２４９】
本開示の実施例において、前記プロセッサは、更に、ネットワークノードから送信された測位リソース調整情報を受信した後に、無線リソース管理ＲＲＭニーズに応じて、ターゲットポイントの測位リソースの変更ニーズが存在する場合、測位リソース調整情報を前記トランシーバを利用して前記ネットワークノードに送信し、前記ネットワークノードからフィードバックされた調整成功応答メッセージを前記トランシーバを利用して受信する。ここで、前記測位リソース調整情報は、測位リソースの更新を所望する前記基地局のターゲットセルの識別情報及び対応する推奨測位専用リソース情報を含み、又は、前記測位リソース調整情報は、測位リソースを解放すべき前記基地局のターゲットセルの識別情報を含む。前記調整成功応答メッセージは、ターゲットポイントの全部又は一部について調整が成功したことを示すメッセージである。
【０２５０】
具体的に、前記プロセッサは、具体的に、前記トランシーバを利用して前記測位リソース調整情報を、ＬＰＰａのパケット形式で、アクセス・モビリティ管理機能エンティティＡＭＦの中継によって前記ネットワークノードに伝送する。
【０２５１】
ここで、前記推奨測位専用リソース情報は、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０２５２】
ここで、上記基地局側の測位リソース調整方法の前記実現実施例は、いずれも該基地局の実施例に適用し、同じ技術効果を奏することもできる。
【０２５３】
本開示の実施例は、コンピュータプログラムが格納されているコンピュータ読み取り可能な記憶媒体を更に提供し、
該プログラムがプロセッサによって実行されると、上記ネットワークノード側の測位リソース調整方法のステップが実現され、又は、
該プログラムがプロセッサによって実行されると、上記端末側の測位リソース調整方法のステップが実現され、又は、
該プログラムがプロセッサによって実行されると、上記基地局側の測位リソース調整方法のステップが実現される。
【０２５４】
ここで、上記ネットワークノード側、端末側及び基地局側の測位リソース調整方法の前記実現実施例は、いずれも該コンピュータ読み取り可能な記憶媒体の実施例に適用し、同じ技術効果を奏することもできる。
【０２５５】
本開示の実施例は、ローカル測位管理機能エンティティ又は測位管理機能エンティティであるネットワークノードに応用される測位リソース調整装置を更に提供する。
図１０に示すように、前記測位リソース調整装置は、サービング端末に対する測位測定に先立って、前記サービング端末に関連する基地局に測位リソース調整情報を送信する第１送信モジュール１０１を含む。
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する。
【０２５６】
本開示の実施例に係る前記測位リソース調整装置は、サービング端末に対する測位測定に先立って、前記サービング端末に関連する基地局に測位リソース調整情報を送信する。ここで、前記測位リソース調整情報は、基地局のターゲットセルの識別情報を含み、前記ターゲットセルの構成すべき測位専用リソース情報を持つ。又は、前記測位リソース調整情報は、測位リソースの活性化を所望する基地局のターゲットセルの識別情報を含み、予め構成された測位専用リソース情報の活性化を前記基地局に指示する。それによって、関連する５Ｇ測位ネットワーク又は測位管理機能の下層化に基づいて、マルチノードのネットワークリソースをより良好に調整することを保証し、冗長な測位リソースが他のネットワークエレメントに与える余分な信号干渉を低減し、端末測位トラフィックに対してより効率的で柔軟なサービスを提供することができる。
【０２５７】
ここで、前記ターゲットセルの構成すべき測位専用リソース情報は、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０２５８】
更に、前記測位専用リソース情報は、自身の発効時間情報を更に含む。
【０２５９】
具体的に、前記発効時間情報は、システムフレーム番号ＳＦＮの形式で示される。
【０２６０】
更に、前記測位リソース調整装置は、基地局に測位リソース調整情報を送信した後に、前記基地局からフィードバックされた第１構成成功応答メッセージを受信する第１受信モジュールと、必要な測位リソースの最小構成セットの完了後に、対応する下り測位測定プロセスをトリガする第１トリガモジュールとを更に含む。ここで、前記第１構成成功応答メッセージは、ターゲットポイントの全部又は一部について構成が成功したことを示すメッセージである。
【０２６１】
ここで、前記測位リソース調整情報が、予め構成された測位専用リソース情報の活性化を前記基地局に指示する場合、前記第１構成成功応答メッセージは、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０２６２】
具体的に、前記第１送信モジュールは、前記測位リソース調整情報を、ＬＰＰａのパケット形式で、アクセス・モビリティ管理機能エンティティＡＭＦの中継により、Ｎ２インターフェースを用いて基地局に伝送する第１送信サブモジュールを含む。
【０２６３】
本開示の実施例において、前記測位リソース調整装置は、基地局に測位リソース調整情報を送信した後に、測位測定リソース又は測定信号源をサービング端末に対して更新する前に、測位リソース更新情報を基地局に送信する第２送信モジュールを更に含む。ここで、前記測位リソース更新情報は、前記基地局の新規追加ターゲットセルの識別情報を含み、前記基地局の新規追加ターゲットセルの構成すべき測位専用リソース情報を持つ。又は、前記測位リソース更新情報は、測位リソースを解放すべき前記基地局のターゲットセルの識別情報を含む。又は、前記測位リソース更新情報は、測位リソースを変更すべき前記基地局のターゲットセルの識別情報を含み、測位リソースを変更すべき前記基地局のターゲットセルの更新すべき測位専用リソース情報を持つ。又は、前記測位リソース更新情報は、測位リソースの活性化を所望する前記基地局の新規追加ターゲットセルの識別情報を含み、対応する予め構成された測位専用リソース情報の活性化を前記基地局に指示する。又は、前記測位リソース更新情報は、測位リソースの変更を所望する前記基地局のターゲットセルの識別情報を含み、対応する予め構成された測位専用リソース情報の活性化を前記基地局に指示する。前記基地局は、前記サービング端末に関連する基地局である。
【０２６４】
ここで、前記基地局の新規追加ターゲットセルの構成すべき測位専用リソース情報、及び／又は、測位リソースを変更すべき前記基地局のターゲットセルの更新すべき測位専用リソース情報は、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０２６５】
更に、前記測位リソース更新情報は、自身の発効時間情報を更に含む。
【０２６６】
具体的に、前記発効時間情報は、システムフレーム番号ＳＦＮの形式で示される。
【０２６７】
更に、前記測位リソース調整装置は、基地局に測位リソース更新情報を送信した後に、前記基地局からフィードバックされた第２構成成功応答メッセージを受信する第２受信モジュールと、必要な測位リソースの最小構成セットの完了後に、対応する下り測位測定プロセスをトリガする第２トリガモジュールとを更に含む。ここで、前記第２構成成功応答メッセージは、ターゲットポイントの全部又は一部について構成が成功したことを示すメッセージである。
【０２６８】
ここで、前記測位リソース更新情報が、対応する予め構成された測位専用リソース情報の活性化を前記基地局に指示する場合、前記第２構成成功応答メッセージは、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０２６９】
具体的に、前記第２送信モジュールは、前記測位リソース更新情報を、ＬＰＰａのパケット形式で、アクセス・モビリティ管理機能エンティティＡＭＦの中継により、Ｎ２インターフェースを用いて基地局に伝送する第２送信サブモジュールを含む。
【０２７０】
本開示の実施例において、前記測位リソース調整装置は、基地局に測位リソース調整情報を送信した後に、前記基地局に測位リソース解放情報を送信する第３送信モジュールと、前記基地局によってフィードバックされたリソース解放成功メッセージを受信する第３受信モジュールとを更に含む。ここで、前記測位リソース解放情報は、測位リソースの解放を所望する前記基地局のターゲットセットの識別情報を含む。前記リソース解放成功メッセージは、ターゲットポイントの全部又は一部についてリソース解放が成功したことを示すメッセージである。
【０２７１】
ここで、前記第３送信モジュールは、前記測位リソース解放情報を、ＬＰＰａのパケット形式で、アクセス・モビリティ管理機能エンティティＡＭＦの中継により、Ｎ２インターフェースを用いて基地局に伝送する第３送信サブモジュールを含む。
【０２７２】
本開示の実施例において、前記測位リソース調整装置は、基地局に測位リソース調整情報を送信した後に、前記基地局から送信された測位リソース調整情報を受信する第４受信モジュールと、測位のニーズに応じて、調整成功応答メッセージを前記基地局にフィードバックする第１フィードバックモジュールとを更に含む。ここで、前記測位リソース調整情報は、測位リソースの更新を所望する前記基地局のターゲットセルの識別情報及び対応する推奨測位専用リソース情報を含み、又は、前記測位リソース調整情報は、測位リソースを解放すべき前記基地局のターゲットセルの識別情報を含む。前記調整成功応答メッセージは、ターゲットポイントの全部又は一部について調整が成功したことを示すメッセージである。
【０２７３】
具体的に、前記第４受信モジュールは、前記基地局からＬＰＰａのパケット形式で送信され、アクセス・モビリティ管理機能エンティティＡＭＦによって中継された測位リソース調整情報を受信する第１受信サブモジュールを含む。
【０２７４】
ここで、前記推奨測位専用リソース情報は、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０２７５】
本開示の実施例において、前記測位リソース調整装置は、基地局に測位リソース調整情報を送信した後に、変更が発生する測位リソース情報を利用して対応するＬＰＰメッセージであって、更新された測位リソース構成情報及び／又は削除された測位リソース構成情報を持つＬＰＰメッセージを形成する第１処理モジュールと、前記ＬＰＰメッセージを測位ニーズのある端末に送信する第４送信モジュールとを更に含む。
【０２７６】
ここで、上記ネットワークノード側の測位リソース調整方法の前記実現実施例は、いずれも該測位リソース調整装置の実施例に適用し、同じ技術効果を奏することもできる。
【０２７７】
本開示の実施例は、端末に応用される測位リソース調整装置を更に提供し、図１１に示すように、
更新された測位リソース構成情報及び／又は削除された測位リソース構成情報を持つＬＰＰメッセージを、ローカル測位管理機能エンティティ又は測位管理機能エンティティであるネットワークノードから受信する第５受信モジュール１１１と、
ＬＰＰメッセージに基づいて測位構成情報を変更する第２処理モジュール１１２とを含む。
【０２７８】
本開示の実施例に係る前記測位リソース調整装置は、更新された測位リソース構成情報及び／又は削除された測位リソース構成情報を持つＬＰＰメッセージを、ローカル測位管理機能エンティティ又は測位管理機能エンティティであるネットワークノードから受信し、ＬＰＰメッセージに基づいて測位構成情報を変更する。それによって、間違った測位信号を端末が測定することが避けられる。関連する５Ｇ測位ネットワーク又は測位管理機能の下層化に基づいてマルチノードのネットワークリソースをより良好に調整することをサポートし、冗長な測位リソースが他のネットワークエレメントに与える余分な信号干渉を低減し、端末測位トラフィックに対してより効率的で柔軟なサービスを提供する。
【０２７９】
具体的に、前記第２処理モジュールは、前記ＬＰＰメッセージの更新された測位リソース構成情報に基づいて、最新の測位構成情報を保存し、及び／又は、前記ＬＰＰメッセージの削除された測位リソース構成情報に基づいて、対応する測位構成情報を除く第１処理サブモジュールを含む。
【０２８０】
ここで、上記端末側の測位リソース調整方法の前記実現実施例は、いずれも該測位リソース調整装置の実施例に適用し、同じ技術効果を奏することもできる。
【０２８１】
本開示の実施例は、基地局に応用される測位リソース調整装置を提供し、図１２に示すように、
ローカル測位管理機能エンティティ又は測位管理機能エンティティであるネットワークノードから送信された測位リソース調整情報を受信する第６受信モジュール１２１と、
前記測位リソース調整情報に基づいて、対応する測位専用リソースを構成して活性化させる第３処理モジュール１２２とを含む。
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する。
【０２８２】
本開示の実施例に係る前記測位リソース調整装置は、ローカル測位管理機能エンティティ又は測位管理機能エンティティであるネットワークノードから送信された測位リソース調整情報を受信し、前記測位リソース調整情報に基づいて、対応する測位専用リソースを構成して活性化させる。ここで、前記測位リソース調整情報は、基地局のターゲットセルの識別情報を含み、前記ターゲットセルの構成すべき測位専用リソース情報を持つ。又は、前記測位リソース調整情報は、測位リソースの活性化を所望する基地局のターゲットセルの識別情報を含み、予め構成された測位専用リソース情報の活性化を前記基地局に指示する。それによって、関連する５Ｇ測位ネットワーク又は測位管理機能の下層化に基づいて、マルチノードのネットワークリソースをより良好に調整することを保証し、冗長な測位リソースが他のネットワークエレメントに与える余分な信号干渉を低減し、端末測位トラフィックに対してより効率的で柔軟なサービスを提供することができる。
【０２８３】
ここで、前記ターゲットセルの構成すべき測位専用リソース情報は、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０２８４】
更に、前記測位専用リソース情報は、自身の発効時間情報を更に含み、前記第３処理モジュールは、前記測位リソース調整情報に基づいて、対応する測位専用リソースを構成して対応するタイミングに活性化させる第２処理サブモジュールを含む。
【０２８５】
具体的に、前記発効時間情報は、システムフレーム番号ＳＦＮの形式で示される。
【０２８６】
更に、前記測位リソース調整装置は、前記測位リソース調整情報に基づいて、対応する測位専用リソースを構成して活性化した後に、ターゲットポイントの全部又は一部について構成が成功したことを示すメッセージである第１構成成功応答メッセージを前記ネットワークノードにフィードバックする第２フィードバックモジュールを更に含む。
【０２８７】
ここで、前記測位リソース調整情報が、予め構成された測位専用リソース情報の活性化を前記基地局に指示する場合、前記第１構成成功応答メッセージは、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０２８８】
具体的に、前記第６受信モジュールは、ネットワークノードからＬＰＰａのパケット形式で送信され、アクセス・モビリティ管理機能エンティティＡＭＦによって中継され、Ｎ２インターフェースを用いて伝送された測位リソース調整情報を受信する第２受信サブモジュールを含む。
【０２８９】
本開示の実施例において、前記測位リソース調整装置は、ネットワークノードから送信された測位リソース調整情報を受信した後に、ネットワークノードから送信された測位リソース更新情報を受信する第７受信モジュールと、前記測位リソース更新情報に基づいて、対応する更新動作を構成して活性化させる第４処理モジュールとを更に含む。ここで、前記測位リソース更新情報は、前記基地局の新規追加ターゲットセルの識別情報を含み、前記基地局の新規追加ターゲットセルの構成すべき測位専用リソース情報を持つ。又は、前記測位リソース更新情報は、測位リソースを解放すべき前記基地局のターゲットセルの識別情報を含む。又は、前記測位リソース更新情報は、測位リソースを変更すべき前記基地局のターゲットセルの識別情報を含み、測位リソースを変更すべき前記基地局のターゲットセルの更新すべき測位専用リソース情報を持つ。又は、前記測位リソース更新情報は、測位リソースの活性化を所望する前記基地局の新規追加ターゲットセルの識別情報を含み、対応する予め構成された測位専用リソース情報の活性化を前記基地局に指示する。又は、前記測位リソース更新情報は、測位リソースの変更を所望する前記基地局のターゲットセルの識別情報を含み、対応する予め構成された測位専用リソース情報の活性化を前記基地局に指示する。
【０２９０】
ここで、前記基地局の新規追加ターゲットセルの構成すべき測位専用リソース情報、及び／又は、測位リソースを変更すべき前記基地局のターゲットセルの更新すべき測位専用リソース情報は、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０２９１】
更に、前記測位リソース更新情報は、自身の発効時間情報を更に含み、前記第４処理モジュールは、前記測位リソース更新情報に基づいて、対応する更新動作を構成して対応するタイミングに活性化させる第３処理サブモジュールを含む。
【０２９２】
具体的に、前記発効時間情報は、システムフレーム番号ＳＦＮの形式で示される。
【０２９３】
更に、前記測位リソース調整装置は、ネットワークノードから送信された測位リソース更新情報を受信した後に、ターゲットポイントの全部又は一部について構成が成功したことを示すメッセージである第２構成成功応答メッセージを、前記ネットワークノードにフィードバックする第３フィードバックモジュールを更に含む。
【０２９４】
ここで、前記測位リソース更新情報が、対応する予め構成された測位専用リソース情報の活性化を前記基地局に指示する場合、前記第２構成成功応答メッセージは、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０２９５】
具体的に、前記第７受信モジュールは、ネットワークノードからＬＰＰａのパケット形式で送信され、アクセス・モビリティ管理機能エンティティＡＭＦによって中継され、Ｎ２インターフェースを用いて伝送された測位リソース更新情報を受信する第３受信サブモジュールを含む。
【０２９６】
本開示の実施例において、前記測位リソース調整装置は、ネットワークノードから送信された測位リソース調整情報を受信した後に、前記ネットワークノードから送信された測位リソース解放情報を受信する第８受信モジュールと、前記測位リソース解放情報に基づいて、対応する測位専用リソースを解放する第５処理モジュールと、リソース解放成功メッセージを前記ネットワークノードにフィードバックする第４フィードバックモジュールとを更に含む。ここで、前記測位リソース解放情報は、測位リソースの解放を所望する前記基地局のターゲットセットの識別情報を含む。前記リソース解放成功メッセージは、ターゲットポイントの全部又は一部についてリソース解放が成功したことを示すメッセージである。
【０２９７】
ここで、前記第８受信モジュールは、前記ネットワークノードからＬＰＰａのパケット形式で送信され、アクセス・モビリティ管理機能エンティティＡＭＦによって中継され、Ｎ２インターフェースを用いて伝送された測位リソース解放情報を受信する第４受信サブモジュールを含む。
【０２９８】
本開示の実施例において、前記測位リソース調整装置は、ネットワークノードから送信された測位リソース調整情報を受信した後に、無線リソース管理ＲＲＭニーズに応じて、ターゲットポイントの測位リソースの変更ニーズが存在する場合、測位リソース調整情報を前記ネットワークノードに送信する第５送信モジュールと、前記ネットワークノードからフィードバックされた調整成功応答メッセージを受信する第９受信モジュールとを更に含む。ここで、前記測位リソース調整情報は、測位リソースの更新を所望する前記基地局のターゲットセルの識別情報及び対応する推奨測位専用リソース情報を含み、又は、前記測位リソース調整情報は、測位リソースを解放すべき前記基地局のターゲットセルの識別情報を含む。前記調整成功応答メッセージは、ターゲットポイントの全部又は一部について調整が成功したことを示すメッセージである。
【０２９９】
具体的に、前記第５送信モジュールは、前記測位リソース調整情報を、ＬＰＰａのパケット形式で、アクセス・モビリティ管理機能エンティティＡＭＦの中継によって前記ネットワークノードに伝送する第４送信サブモジュールを含む。
【０３００】
ここで、前記推奨測位専用リソース情報は、測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む。
【０３０１】
ここで、上記基地局側の測位リソース調整方法の前記実現実施例は、いずれも該測位リソース調整装置の実施例に適用し、同じ技術効果を奏することもできる。
【０３０２】
なお、この明細書に記載の多くの機能的部材は、その実現方式の独立性を強調するために、モジュール／サブモジュールと称される。
【０３０３】
本開示の実施例において、モジュール／サブモジュールは、各種類のタイプのプロセッサによって実行されるよう、ソフトウェアによって実現される。例えば、１つの標識される実行可能なコードモジュールは、コンピュータ指令の１つ又は複数の物理又は論理ブロックを含み、例えば、対象、プロセス又は関数として構築される。それにかかわらず、標識されるモジュールの実行可能なコードは、物理的に一緒に位置する必要がなく、異なるビットに記憶される異なる指令を含み、これらの指令が論理的に結合すると、モジュールを構成して当該モジュールの所定の目的を実現する。
【０３０４】
実際に、実行可能なコードモジュールは、１つ又は複数の指令であり、異なるコードセグメント、異なるプログラムに位置してもよく、複数の記憶機器を跨いで位置してもよい。同様に、オペレーティングデータは、モジュール内で識別可能であり、あらゆる適切な形式で実現可能であり、あらゆる適切なタイプのデータ構造に組織されることもできる。前記オペレーティングデータは、単一のデータセットとして収集され、又は異なる位置に分布し（異なる記憶機器にあることを含む）、少なくとも一部が電子信号のみとしてシステム又はネットワークに存在する。
【０３０５】
モジュールがソフトウェアによって実現可能である場合、関連技術でハードウェア工程のレベルを考慮し、ソフトウェアで実現可能なモジュールは、コストを考慮しない場合、当業者が対応するハードウェア回路を構築して対応な機能を実現することができる。前記ハードウェア回路は、通常のＶＬＳＬ回路、ゲートアレイ、又は、論理チップやトランジスタといった関連技術の半導体やほかの分離素子を含む。モジュールは、フィールドプログラマブルゲートアレイ、プログラマブルアレイロジック、プログラマブルロジックデバイスなどのプログラマブルハードウェアデバイスで実現可能である。
【０３０６】
本開示の実施例が、方法、装置、又はコンピュータプログラム製品として提供できることは、当業者には理解される。従って、本開示の実施例は、完全なハードウェア実施例、完全なソフトウェア実施例、又はソフトウェアとハードウェアを組み合わせた実施例の形態を採用できる。更に、本開示の実施例は、コンピュータ使用可能プログラムコードを含む１つ又は複数のコンピュータ使用可能記憶媒体（磁気ディスクメモリ、読み取り専用光ディスクＣＤ−ＲＯＭ（Ｃｏｍｐａｃｔ  Ｄｉｓｃ  Ｒｅａｄ−Ｏｎｌｙ  Ｍｅｍｏｒｙ）、光学メモリなどを含むが、それに限られない）で実施されるコンピュータプログラム製品の形態を採用できる。前記コンピュータ読み取り可能な記憶媒体は、揮発性及び／又は非揮発性のものである。
【０３０７】
以上記載されたのは、本開示の選択可能な実施形態である。当業者は、本開示に記載されている原理を逸脱せずに様々な改良や修飾をすることもできる。これらの改良や修飾も、本開示の保護範囲として見なされるべきである。
【図１】
2021536188.tif 000003
【図２】
2021536188.tif 000004
【図３】
2021536188.tif 000005
【図４】
2021536188.tif 000006
【図５】
2021536188.tif 000007
【図６】
2021536188.tif 000008
【図７】
2021536188.tif 000009
【図８】
2021536188.tif 000010
【図９】
2021536188.tif 000011
【図１０】
2021536188.tif 000012
【図１１】
2021536188.tif 000013
【図１２】
2021536188.tif 000014
【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
ローカル測位管理機能エンティティ又は測位管理機能エンティティであるネットワークノードに応用される測位リソース調整方法であって、
サービング端末に対する測位測定に先立って、前記サービング端末に関連する基地局に測位リソース調整情報を送信することを含み、
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する、測位リソース調整方法。
【請求項２】
前記ターゲットセルの構成すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項１に記載の測位リソース調整方法。
【請求項３】
基地局に測位リソース調整情報を送信した後に、
前記基地局からフィードバックされた第１構成成功応答メッセージを受信することと、
必要な測位リソースの最小構成セットの完了後に、対応する下り測位測定プロセスをトリガすることとを更に含み、
ここで、前記第１構成成功応答メッセージは、ターゲットポイントの全部又は一部について構成が成功したことを示すメッセージである、請求項１に記載の測位リソース調整方法。
【請求項４】
前記測位リソース調整情報が、予め構成された測位専用リソース情報の活性化を前記基地局に指示する場合、
前記第１構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項３に記載の測位リソース調整方法。
【請求項５】
前記の基地局に測位リソース調整情報を送信することは、
前記測位リソース調整情報を、ＬＰＰａのパケット形式で、アクセス・モビリティ管理機能エンティティＡＭＦの中継により、Ｎ２インターフェースを用いて基地局に伝送することを含む、請求項１に記載の測位リソース調整方法。
【請求項６】
基地局に測位リソース調整情報を送信した後に、
測位測定リソース又は測定信号源をサービング端末に対して更新する前に、測位リソース更新情報を基地局に送信することを更に含み、
ここで、前記測位リソース更新情報は、前記基地局の新規追加ターゲットセルの識別情報を含み、前記基地局の新規追加ターゲットセルの構成すべき測位専用リソース情報を持ち、又は、
前記測位リソース更新情報は、測位リソースを解放すべき前記基地局のターゲットセルの識別情報を含み、又は、
前記測位リソース更新情報は、測位リソースを変更すべき前記基地局のターゲットセルの識別情報を含み、測位リソースを変更すべき前記基地局のターゲットセルの更新すべき測位専用リソース情報を持ち、又は、
前記測位リソース更新情報は、測位リソースの活性化を所望する前記基地局の新規追加ターゲットセルの識別情報を含み、対応する予め構成された測位専用リソース情報の活性化を前記基地局に指示し、又は、
前記測位リソース更新情報は、測位リソースの変更を所望する前記基地局のターゲットセルの識別情報を含み、対応する予め構成された測位専用リソース情報の活性化を前記基地局に指示し、
前記基地局は、前記サービング端末に関連する基地局である、請求項１に記載の測位リソース調整方法。
【請求項７】
前記基地局の新規追加ターゲットセルの構成すべき測位専用リソース情報、及び／又は、測位リソースを変更すべき前記基地局のターゲットセルの更新すべき測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項６に記載の測位リソース調整方法。
【請求項８】
基地局に測位リソース更新情報を送信した後に、
前記基地局からフィードバックされた第２構成成功応答メッセージを受信することと、
必要な測位リソースの最小構成セットの完了後に、対応する下り測位測定プロセスをトリガすることとを更に含み、
ここで、前記第２構成成功応答メッセージは、ターゲットポイントの全部又は一部について構成が成功したことを示すメッセージである、請求項６に記載の測位リソース調整方法。
【請求項９】
前記測位リソース更新情報が、対応する予め構成された測位専用リソース情報の活性化を前記基地局に指示する場合、
前記第２構成成功応答メッセージは、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項８に記載の測位リソース調整方法。
【請求項１０】
基地局に測位リソース調整情報を送信した後に、
前記基地局に測位リソース解放情報を送信することと、
前記基地局によってフィードバックされたリソース解放成功メッセージを受信することとを更に含み、
ここで、前記測位リソース解放情報は、測位リソースの解放を所望する前記基地局のターゲットセットの識別情報を含み、
前記リソース解放成功メッセージは、ターゲットポイントの全部又は一部についてリソース解放が成功したことを示すメッセージである、請求項１又は６に記載の測位リソース調整方法。
【請求項１１】
基地局に測位リソース調整情報を送信した後に、
前記基地局から送信された測位リソース調整情報を受信することと、
測位のニーズに応じて、調整成功応答メッセージを前記基地局にフィードバックすることとを更に含み、
ここで、前記測位リソース調整情報は、測位リソースの更新を所望する前記基地局のターゲットセルの識別情報及び対応する推奨測位専用リソース情報を含み、又は、前記測位リソース調整情報は、測位リソースを解放すべき前記基地局のターゲットセルの識別情報を含み、
前記調整成功応答メッセージは、ターゲットポイントの全部又は一部について調整が成功したことを示すメッセージである、請求項１又は６に記載の測位リソース調整方法。
【請求項１２】
前記推奨測位専用リソース情報は、
測位パイロットシンボルＰＲＳの帯域幅情報、ＰＲＳインデックス情報、サイクリックプレフィックスＣＰ長情報、連続するダウンリンクＤＬサブフレームの数、及びポート利用数の少なくとも１つの情報を含む、請求項１１に記載の測位リソース調整方法。
【請求項１３】
端末に応用される測位リソース調整方法であって、
更新された測位リソース構成情報及び／又は削除された測位リソース構成情報を持つＬＰＰメッセージを、ローカル測位管理機能エンティティ又は測位管理機能エンティティであるネットワークノードから受信することと、
ＬＰＰメッセージに基づいて測位構成情報を変更することとを含む、測位リソース調整方法。
【請求項１４】
基地局に応用される測位リソース調整方法であって、
ローカル測位管理機能エンティティ又は測位管理機能エンティティであるネットワークノードから送信された測位リソース調整情報を受信することと、
前記測位リソース調整情報に基づいて、対応する測位専用リソースを構成して活性化させることとを含み、
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する、測位リソース調整方法。
【請求項１５】
ローカル測位管理機能エンティティ又は測位管理機能エンティティであるネットワークノードに応用される測位リソース調整装置であって、
サービング端末に対する測位測定に先立って、前記サービング端末に関連する基地局に測位リソース調整情報を送信する第１送信モジュールを含み、
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する、測位リソース調整装置。
【請求項１６】
端末に応用される測位リソース調整装置であって、
更新された測位リソース構成情報及び／又は削除された測位リソース構成情報を持つＬＰＰメッセージを、ローカル測位管理機能エンティティ又は測位管理機能エンティティであるネットワークノードから受信する第５受信モジュールと、
ＬＰＰメッセージに基づいて測位構成情報を変更する第２処理モジュールとを含む、測位リソース調整装置。
【請求項１７】
基地局に応用される測位リソース調整装置であって、
ローカル測位管理機能エンティティ又は測位管理機能エンティティであるネットワークノードから送信された測位リソース調整情報を受信する第６受信モジュールと、
前記測位リソース調整情報に基づいて、対応する測位専用リソースを構成して活性化させる第３処理モジュールとを含み、
ここで、前記測位リソース調整情報は、基地局のターゲットセルの識別情報を含み、前記ターゲットセルの構成すべき測位専用リソース情報を持ち、又は、
前記測位リソース調整情報は、測位リソースの活性化を所望する基地局のターゲットセルの識別情報を含み、予め構成された測位専用リソース情報の活性化を前記基地局に指示する、測位リソース調整装置。
【国際調査報告】
2021536188.tif 000015
2021536188.tif 000016
2021536188.tif 000017
2021536188.tif 000018